(57)【要約】  医療専門家が患者アバターに関連付けた形の医療記録を確認できるようにする医療システムを開示する。システムは、患者を表す３次元ビューのアバターを作成し、各記録内のデータを表す形の患者記録をアバターの特定の位置に添付することができる。医療処置に対応するアバター上の特定の位置を選択することによって治療タイムラインにアクセスすることができる。【選択図】図１
2019514105.tif 000002
【特許請求の範囲】
【請求項１】
３次元（３Ｄ）アバターを用いて患者の医療情報をユーザに表示して記録するための装置であって、
患者を表す３次元（３Ｄ）アバターの画像をユーザに提示するように構成されたディスプレイと、
前記ユーザの入力指示を取り込むように構成された１又は２以上のセンサと、
プロセッサと、
を備え、前記プロセッサは、
前記ディスプレイを用いて、前記ユーザに対して前記３Ｄアバターに関連する第１の位置に第１の医療記録タイムラインのグラフィック表示を表示し、
前記ユーザによる第１の入力指示を判別して前記患者の医療情報の修正済みタイムラインを表示し、
前記ディスプレイを用いて、前記修正済みタイムラインに対応する修正済みグラフィック表示を前記ユーザに表示する、
ように構成される、
ことを特徴とする装置。
【請求項２】
前記第１のタイムラインの前記グラフィック表示は、第１の時間間隔において取得された前記患者の第１の複数の医療記録を表す第１の複数のグラフィック表示を含む、
請求項１に記載の装置。
【請求項３】
前記修正済みタイムラインの前記修正済みグラフィック表示は、前記患者の第２の複数の医療記録を表す第２の複数のグラフィック表示を含む、
請求項２に記載の装置。
【請求項４】
前記患者の前記第２の複数の医療記録は、前記第１の時間間隔の後の第２の時間間隔中に記録された前記患者の医療情報に対応する、
請求項３に記載の装置。
【請求項５】
前記第１のタイムラインは、疾病の進行又は回復のタイムラインに対応する、
請求項１に記載の装置。
【請求項６】
前記第１のタイムラインの前記グラフィック表示は、前記第１の位置において、前記３Ｄアバターの上位に、前記３Ｄアバターに重なって、前記３Ｄアバターに隣接して、又は前記３Ｄアバターの下位に出現するように表示される、
請求項１に記載の装置。
【請求項７】
前記第１の時間間隔及び前記第２の時間間隔は重複し、前記患者の前記第１の複数の医療記録は、前記患者の前記第２の複数の医療記録のうちの１つの医療記録を含む、
請求項１に記載の装置。
【請求項８】
前記１又は２以上のセンサは、画像センサを含む、
請求項１に記載の装置。
【請求項９】
前記第１の複数のグラフィック表示は、前記ユーザに対して水平に出現するように表示される、
請求項８に記載の装置。
【請求項１０】
前記第１の複数のグラフィック表示のうちの第１のグラフィック表示が、前記患者の前記第１の複数の医療記録のうちの第１の医療記録の要約を表す、
請求項１に記載の装置。
【請求項１１】
前記プロセッサは、
前記ユーザによる第２のグラフィック表示の選択を示す前記ユーザの第２の入力指示を判別し、
電子医療記録システムから第２の医療記録を検索する、
ようにさらに構成される、請求項１に記載の装置。
【請求項１２】
前記プロセッサは、前記ユーザから更新後の医療情報を受け取り、前記第２の医療記録を、前記更新後の医療情報を含むように更新するようにさらに構成される、
請求項１１に記載のシステム。
【請求項１３】
前記更新後の医療情報は、前記ユーザの書面による医療情報、前記ユーザの視覚による医療情報、前記ユーザの音声による医療情報、又はこれらのいずれかの組み合わせを含む、
請求項１２に記載のシステム。
【請求項１４】
前記プロセッサは、前記ユーザから前記患者の更新後の医療情報を受け取って前記患者の新たな医療記録を作成するようにさらに構成される、
請求項１に記載のシステム。
【請求項１５】
前記ディスプレイは、前記患者を表す前記３Ｄアバターを表示するように構成された仮想現実（ＶＲ）ヘッドセットを含む、
請求項１に記載のシステム。
【請求項１６】
前記プロセッサは、前記ユーザからジェスチャインターフェイスを通じて命令を受け取るように構成される、
請求項１５に記載のシステム。
【請求項１７】
前記プロセッサは、前記第１のタイムラインを更新するように構成されたジェスチャインターフェイスを通じて前記ユーザから命令を受け取るように構成される、
請求項１６に記載のシステム。
【請求項１８】
３次元（３Ｄ）アバターを用いて患者の医療情報をユーザに表示して記録する方法であって、
患者を表す３次元（３Ｄ）アバターをユーザに表示するステップと、
前記患者の医療情報を受け取るステップと、
前記受け取った医療情報に基づいて前記患者の新たな医療記録を作成するステップと、
前記ユーザから第１のジェスチャを読み取るステップと、
前記第１のジェスチャに基づいて、前記３Ｄアバターに関連する前記新たな医療記録のためのピニング位置を作成するステップと、
前記新たな医療記録と、前記関連するピニング位置とをストレージに記憶するステップと、
を含むことを特徴とする方法。
【請求項１９】
前記ユーザから、前記新たな医療記録のための修正されたピニング位置を受け取るステップと、
前記医療情報を、前記新たな医療情報が前記修正されたピニング位置に関連する旨を前記３Ｄアバター上で示すように更新するステップと、
をさらに含む請求項１８に記載の方法。
【請求項２０】
前記３Ｄアバターに関連する前記ピニング位置に前記新たな医療記録のグラフィック表示を表示するステップをさらに含む、
請求項１８に記載の方法。
【請求項２１】
前記患者の前記医療情報を受け取るステップは、前記ユーザから前記患者の前記医療情報を受け取るステップを含む、
請求項１８に記載の方法。
【請求項２２】
前記受け取られる医療情報は、テキストデータ、２次元（２Ｄ）データ、３Ｄデータ、ビデオデータ、オーディオデータ、又はこれらのいずれかの組み合わせを含む、
請求項１８に記載の方法。
【請求項２３】
さらに、前記患者の医療情報を表す第１の内容項目を表示するステップを含み、前記第１の内容項目は、前記３Ｄアバターの第１の位置と関連するものとして表示される、請求項１８に記載の方法。
【請求項２４】
前記医療情報を表す第１の内容項目は、前記患者のアイデンティティを認識したことに応答して、前記３Ｄアバターの前記第１の位置に関連するものとして表示される、
請求項２３に記載の方法。
【請求項２５】
前記医療情報の第１の内容項目は個人健康情報を含み、前記ユーザは許可された医療専門家である、
請求項２３に記載の方法。
【請求項２６】
前記ユーザの第２のジェスチャによって示される第１の指示を前記ユーザから受け取るステップをさらに含む、
請求項２３に記載の方法。
【請求項２７】
前記第１の内容項目を拡大し、前記第１の内容項目を縮小し、又は前記第１の内容項目を前記３Ｄアバターに関連する第２の位置に関連するものとして表示することによって、前記医療情報の第１の内容項目を修正するステップを含む、
請求項２６に記載の方法。
【請求項２８】
前記医療情報の第１の内容項目を表示から削除する命令を受け取り、その後に前記医療情報の第１の内容項目を表示から削除するステップをさらに含む、
請求項２３に記載の方法。
【請求項２９】
医療情報の第２の内容項目を表示する命令を受け取り、前記医療情報の第２の内容項目を前記３Ｄアバターの第２の位置に関連するものとして表示するステップをさらに含む、
請求項２３に記載の方法。
【請求項３０】
前記第２の内容項目は、前記患者に対してタスクを実行する命令を含む、
請求項２９に記載の方法。
【発明の詳細な説明】
【技術分野】
【０００１】
本発明は、医療情報システムに関し、具体的には、３Ｄアバターを用いて医療情報を表示する方法及びシステムに関する。
【背景技術】
【０００２】
医者又は病院への通院中には、医者が患者を診察し、その後にこの受診情報（ｅｎｃｏｕｎｔｅｒ）を医療情報システムに記録する。このような受診中、医者は、大量の医療情報を生成して素早く正確に患者の診療記録に記憶する必要がある。記憶される医療情報は、例えば患者に取り付けられた医療機器及びセンサによって生成された医療データを含むことができる。
【発明の概要】
【発明が解決しようとする課題】
【０００３】
医者は、自身のメモを医療情報システムにタイピング又は口述録音することができる。しかしながら、このようなタイピング又は口述録音には時間が掛かることがあり、医者が記録した全ての異なるタイプの情報が後で検索できるように単純かつ便利なフォーマットで正確にリンクされないこともある。
【課題を解決するための手段】
【０００４】
本明細書では、患者アバターを用いて医療情報の表示及び記録を行う装置及び方法を開示する。１つの例では、装置が、１又は２以上のセンサと、これらのセンサに動作可能に結合されたプロセッサと、プロセッサに動作可能に結合されたメモリ要素とを含み、プロセッサ及びメモリ要素が、３Ｄ患者アバターを表示して３Ｄアバター上に医療情報の第１の内容項目を表示するように集合的に構成される。１つの例では、方法が、３Ｄアバターを表示するステップと、この３Ｄアバター上に医療情報の第１の内容項目を表示するステップとを含む。
【図面の簡単な説明】
【０００５】
【図１】３Ｄアバター医療情報システムが実装する３Ｄアバターを用いた医療専門家と医療情報との間の例示的な相互作用を示す概略図である。
【図２】医療専門家と医療記録との間の例示的な相互作用を示す概略図である。
【図３】医療専門家と疾病タイムラインとの間の例示的な相互作用を示す概略図である。
【図４】医療専門家による、新たな医療記録の作成と、３Ｄアバター上への新たな医療記録のピニングとを示す概略図である。
【図５】ホログラフィックアイウェア、３Ｄアバター医療情報システム及び電子医療記録システムの例示的な動作環境を示すブロック図である。
【発明を実施するための形態】
【０００６】
以下の詳細な説明では、本明細書の一部を形成する添付図面を参照する。図面では、文脈において別途指示していない限り、通常は同様の構成要素を同様の符号によって識別する。詳細な説明に記載する例示的な実施形態、図面及び特許請求の範囲は、限定を意図するものではない。本明細書に示す主題の趣旨又は範囲から逸脱することなく、他の実施形態の利用及び他の変更を行うこともできる。本明細書で大まかに説明して図に示す本開示の態様は、様々な異なる構成での配置、置換、組み合わせ、分離及び設計が可能であり、これらの全てが本明細書で想定されていると容易に理解されるであろう。
【０００７】
本明細書に開示する３Ｄアバター医療情報システムの例示的な実施形態は、以下に限定するわけではないが、医師、看護師、医療専門家、医療提供者、医療管理職員及び病院管理者を含む様々な人物が操作又は利用することができる。簡潔にするために、以下ではこれらのユーザを「医療専門家」と呼ぶ。医療専門家は、３Ｄアバター医療情報システムのユーザであることができる。患者も、３Ｄアバター医療情報システムのユーザであることができる。
【０００８】
本発明の実施形態は、「３Ｄアバター」と呼ばれる患者の３次元表現を医療専門家に提示するシステム及び方法に関する。３Ｄアバターは、医療専門家が特殊なヘッドセット、バイザー、眼鏡、アイウェアを着用した時に、又は３次元画像を表示するように構成された特製のディスプレイを覗いた時に見える。３Ｄアバターは、人体を３次元で表現する。この３Ｄアバターを用いて、患者の医療情報を患者の特定の部位にリンクさせることができる。例えば、左膝の手術からの回復期の患者が医師の診察を受けることがある。医師は、後述するように構成されたホログラフィックアイウェアを着用して、患者の医療記録を表す３Ｄアバター画像を生成することができる。医師は、アバターの左膝の位置に関連するファイルのグラフィック表示（ｇｒａｐｈｉｃａｌ  ｉｎｄｉｃｉｕｍ）を確認する。アイウェアシステムは、医師の指の位置を記録することができる。アイウェアシステムは、医師が左膝に関連するファイル画像のグラフィック表示にタッチしたかどうかを判断することができる。アイウェアシステムは、医師が左膝に関連するファイルを選択したと判断した場合、患者の左膝に関連するｘ線写真、メモ、手術の詳細及びその他の情報などの手術記録を表示することができる。これにより、システムは、特定の患者の医療情報を医師によるアクセス及び理解が容易な形で都合良く直感的に記憶できるようになる。
【０００９】
なお、２次元「２Ｄ」及び３次元「３Ｄ」アバターは、患者の医療を管理するための１又は２以上の相互作用的画像の非限定的な例であると理解されたい。いくつかの実施形態では、本明細書に開示するシステム及び方法が、３Ｄアバターを利用して患者医療情報の取り込み及び医療記録の維持を行う。この３Ｄアバターは、ホログラフィック３Ｄアバターとすることができる。本明細書に開示する方法及びシステムを実装する技術の非限定的な例としては、複合現実技術、拡張現実技術及び仮想現実技術が挙げられる。
【００１０】
システムアーキテクチャ
図１は、３Ｄアバター医療情報システム（３Ｄ  ＡＭＩＳ）１０４が実装する３Ｄアバター１０２を用いた医療専門家１００と医療情報との間の例示的な相互作用を示す概略図である。医療専門家１００は、アバター又はその他の情報の３Ｄ表現を表示するように構成されたホログラフィックアイウェア１０６を用いて３Ｄアバター医療情報システム１０４と相互作用することができる。Ｍｉｃｒｏｓｏｆｔ（登録商標）ＨｏｌｏＬｅｎｓ（登録商標）は、本発明の実施形態において使用できる１つのホログラフィックアイウェアタイプの非限定的な例である。他の非限定的なホログラフィックアイウェアの例としては、Ｇｏｏｇｌｅ  Ｇｌａｓｓ（登録商標）、Ｏｃｕｌｕｓ  Ｒｉｆｔ（登録商標）、Ｓｏｎｙ（登録商標）Ｇｌａｓｓｔｒｏｎ（商標）、及びＨＴＣ  Ｖｉｖｅ（登録商標）が挙げられる。
【００１１】
一般に、ホログラフィックアイウェア１０６は、医療専門家の視野内に３Ｄ画像を提示するために、医療専門家の片方の目に１つずつの２つのレンズを含む。ホログラフィックアイウェア１０６は、これらの２つのレンズを介して、例えば医療情報などの情報を医療専門家１００に表示することができる。いくつかの実施形態では、ホログラフィックアイウェア１０６が、ホログラフィックアイウェア１０６と有線又は無線で通信する１又は２以上のオーディオ装置（例えばスピーカ及びイヤホン）を用いて医療専門家１００と通信することができる。
【００１２】
ホログラフィックアイウェア１０６は、ホログラフィックアイウェア１０６と有線又は無線で通信する１又は２以上のセンサを用いて医療専門家の指示又は命令をモニタして判別するように構成される。医療専門家１００は、自身のジェスチャを用いてホログラフィックアイウェア１０６に指示を与えることができる。これに加えて、又はこれとは別に、医療専門家１００は、自身の指、手、腕又は脚（又はいずれかの身体部分）、或いは医療専門家１００につながっている他の物体を用いてホログラフィックアイウェア１０６に指示を与えることもできる。
【００１３】
ホログラフィックアイウェア１０６は、ネットワーク１０８を介して３Ｄアバター医療情報システム１０４と有線又は無線で通信することができる。３Ｄアバター医療情報システム１０４は、ホログラフィックアイウェア１０６が医療専門家１００に表示する医療記録などの医療情報を電子医療記録システム（ＥＭＲＳ）１１０から検索するように構成することができる。電子医療記録システム１１０から検索された医療情報は、２又は３以上のホログラフィックアイウェア１０６及び／又は２又は３以上の３Ｄアバター医療情報システム１０４が取り込んで記録することもできる。いくつかの実施形態では、電子医療記録システム１１０から検索された医療情報を、ホログラフィックアイウェア１０６及び３Ｄアバター医療情報システム１０４以外のシステムが取り込んで記録することもできる。このようなシステムが取り込んで記録する医療情報の非限定的な例としては、例えばＭＲＩ装置、Ｘ線装置及び血液分析器などの、３Ｄアバター医療情報システム１０４の一部ではない医療機器が挙げられる。
【００１４】
いくつかの実施形態では、２人又は３人以上の医療専門家及び患者が、２又は３以上のホログラフィックアイウェア１０６を用いて３Ｄアバター医療情報システム１０４と同時に相互作用することができる。２人又は３人以上の医療専門家１００は、互いに近くに存在することも、又は遠くに存在することもでき、システムは、ネットワーク１０８を介してこれらの医療専門家を互いにリンクすることができる。
【００１５】
３Ｄアバター
１つの実施形態では、患者の医療情報と共に３Ｄアバター１０２を表示することができる。患者の医療情報は、３Ｄアバター１０２の上位又は下位に出現するように表示することができる。患者の医療情報は、３Ｄアバター１０２に重なるように又は隣接するように表示することもできる。表示される医療情報は、電子医療記録システム１１０に記憶されている患者の医療情報の一部又は全部を含むことができる。表示される医療情報は、患者の現在又は過去の医者又は病院への通院中に取り込んで記録しておくことができる。表示される医療情報は、疾病、疾病事例、関連する疾病群又は医学専門領域に関連することができる。
【００１６】
医療記録
医療情報は、医療記録１１１を含むことができる。ホログラフィックアイウェア１０６は、その１又は２以上のレンズを用いて、医療記録１１１を医療記録内容項目１１４Ａ〜Ｃとして医療専門家１００に表示することができる。医療記録１１１は、３Ｄアバター１０２と共に表示することができる。表示される医療記録１１１は、例えば疾病のタイプ、疾病の重症度、症状、疾病の進行及び治癒、医学上の専門性に基づいてグループ化することができる。表示される医療記録１１１は、医療記録１１１を作成した医者、又は医療記録１１１の作成時の通院に基づいてグループ化することもできる。図１には、医療記録１１１を疾病のタイプによって「頭痛」１１２Ａ、「発疹」１１２Ｂ、「火傷」１１２Ｃという医療情報カテゴリにグループ化できることを示す。カテゴリ１１２Ａ、１１２Ｂ及び１１２Ｃの医療記録１１１は、それぞれ医療記録内容項目１１４Ａ、１１４Ｂ及び１１４Ｃとして表示することができる。医療記録内容項目は、医療記録１１１のプレビューを含むことができる。
【００１７】
ホログラフィックアイウェア１０６は、記録された内容項目１１４Ａ〜Ｃを３Ｄアバター１０２に関する異なる地理的位置に表示するように構成される。３Ｄアバター医療情報システム１０４は、医療記録に記憶されているデータを参照することによって医療記録内容項目１１４Ａ〜Ｃの位置を決定することができる。いくつかの実施形態では、医療専門家が、医療記録内容項目１１４Ａ〜Ｃを作成する際に医療記録内容項目１１４Ａ〜Ｃの位置を決定する。いくつかの実施形態では、取り込まれて最初に記録された時に位置情報が決定されていない既存の医療記録内容項目について、医療専門家が医療記録内容項目１１４Ａ〜Ｃの位置を決定する。
【００１８】
医療記録内容項目１１４Ａ〜Ｃは、例えば３Ｄアバター１０２の上位に、３Ｄアバター１０２に重なって、３Ｄアバター１０２の下位に、又は３Ｄアバター１０２に隣接して出現するように表示することができる。いくつかの実施形態では、医療記録内容項目１１４Ａ〜Ｃを、例えば３Ｄアバターの頭部、腕、脚、腎臓又は肝臓などの、人物の臓器に対応する３Ｄアバター１０２上の位置の空間的近傍に出現するように表示することができる。医療専門家１００は、例えば患者の状態、疾病の進行及び治癒を反映させることが望ましい又は必要である時に、３Ｄアバター１０２に関する異なるピニング位置に医療記録内容項目１１４Ａ〜Ｃを動かすことができる。例えば、医療専門家１００は、医療記録内容項目１１４Ｃを３Ｄアバター１０２の右膝から左膝に動かすために、医療記録内容項目１１４Ｃを表すグラフィック表示に１本又は２本以上の指で「タッチ」し、これらの指を３Ｄアバター１０２の右膝から左膝に動かすことができる。ホログラフィックアイウェア１０６は、このような「タッチ」及び「動き」を取り込む１又は２以上の画像センサを含むことができる。
【００１９】
図１に示すように、「頭痛」カテゴリ１１２Ａの医療記録内容項目１１４Ａは、３Ｄアバター１０２の頭部の、患者が頭痛を感じていた又は感じている箇所の空間的近傍に出現するように表示することができる。「発疹」カテゴリ１１２Ｂの医療記録内容項目１１４Ｂは、患者の右前腕の発疹に関連することができ、従って３Ｄアバター１０２の右前腕の上位に出現するように表示することができる。「火傷」カテゴリ１１２Ｃの医療記録内容項目１１４Ｃは、右膝蓋骨上の火傷に関連することができ、従って３Ｄアバター１０２の右膝蓋骨に重ねて表示することができる。
【００２０】
記憶される医療記録１１１に含めることができるデータタイプの非限定的な例としては、テキストデータ、２Ｄデータ、３Ｄデータ、オーディオデータ、ビデオデータ、又はこれらのいずれかの組み合わせが挙げられる。医療記録１１１は、例えば今もなおデータが収集されている最中のリアルタイムＭＲＩデータなどのリアルタイムデータを含むこともできる。医療記録１１１は、疾病又は症状の重症度及び継続期間と、薬剤の投与量、タイミング及び結果を含む治療歴と、その疾病又は症状に関する患者の家族の履歴とに関するテキストデータとすることもできる。テキストデータは、医療専門家及び患者によるメモ及び観察記録とすることができる。テキストデータは、検査結果及び患者情報を含むこともできる。患者情報は、名前、住所、電話番号、最近親者の連絡先、主治医の名前、住所及び電話番号、誕生日、目の色、眼鏡の処方箋、コンタクトレンズの使用、血液型、アレルギー、投薬、その用量と頻度、処置及び手術、これらに関連する日付及び転帰、家族の病歴、糖尿病の病状、ペースメーカーの使用、履歴及びモデル、例えばアルツハイマーの症状などの病徴、心臓ステントの存在、疼痛ポンプの使用、癌の病歴、化学療法のタイプ、期間、過程及び履歴、補聴器の使用、義歯の存在、保険情報、ワクチンの接種履歴、幼少期の病歴、大腸内視鏡検査の結果、又はこれらのいずれかの組み合わせを含むことができる。
【００２１】
２Ｄデータ及び３Ｄデータは、患者の写真ＩＤ、指紋、目の画像、バイオメトリック情報、超音波画像、歯科Ｘ線画像、母斑の光学画像、コンピュータ断層撮影（「ＣＴ」）画像、陽電子放射断層撮影（「ＰＥＴ」）画像、単一光子放射コンピュータ断層撮影（「ＳＰＥＣＴ」）画像、超音波（「ＵＳ」）画像、Ｘ線画像、マンモグラフィ、磁気共鳴撮像（「ＭＲＩ」）画像、拡散テンソル撮像（「ＤＴＩ」）画像、磁気共鳴血管造影図（「ＭＲＡ」）、コンピュータ断層血管造影（ＣＴＡ）画像、コンピュータ光学断層撮影（「ＣＯＴ」）画像などの医療光学撮像（「ＭＯＩ」）画像、中性子誘発放射コンピュータ断層撮影（「ＮＳＥＣＴ」）画像、二重エネルギーｘ線吸収測定（「ＤＥＸＡ」）画像、デジタル放射線写真、ダクトグラフィ、超音波検査画像、サーモグラフィ、電気インピーダンス断層撮影画像、脳磁図（「ＭＥＧ」）、心電図（「ＥＫＧ」）、脳波図（「ＥＥＧ」）、又はこれらのいずれかの組み合わせを含むことができる。オーディオデータは、医療専門家及び患者の音声録音とすることができる。ビデオデータは、医療専門家が行った治療及び患者の挙動の録画とすることができる。
【００２２】
いくつかの実施形態では、患者が口頭などで医療記録１１１を提供することができる。医療記録１１１は、電子医療記録システム１１０に記憶されるように、医療専門家が３Ｄアバター医療情報システム１０４に入力することができる。いくつかの実施形態では、３Ｄアバター医療情報システム１０４が電子医療記録システム１１０から医療記録１１１を検索することができる。３Ｄアバター医療情報システム１０４が電子医療記録システム１１０から検索する医療記録１１１は、様々な専門性の医療専門家を含む他の医療専門家が様々な病院、都市、州及び国において作成した医療記録１１１を含むことができる。電子医療記録システム１１０から検索される医療記録１１１は、同時に記録することも、又は異なる時点で記録することもできる。
【００２３】
ユーザメニュー
ホログラフィックアイウェア１０６は、ユーザメニュー１２０を表示することができる。ユーザメニュー１２０は、３Ｄアバター１０２の上位に、３Ｄアバター１０２に重なって、３Ｄアバター１０２の下位に、又は３Ｄアバター１０２に隣接して出現するように表示することができる。ユーザメニュー１２０は、「患者情報の表示」１２２Ａ、「検査の指示」１２２Ｂ、「タイムラインの表示」１２２Ｃ及び「新たな医療記録の作成」１２２Ｄなどのメインメニュー内容項目を含むことができる。「患者情報の表示」というメインメニュー内容項目１２２Ａは、「現在の状態」１３０Ａ、「治療歴」１３０Ｂ、「Ｔｏ  Ｄｏリスト」１３０Ｃ及び「その他」の患者情報表示１３０Ｄの表示などのサブメニュー内容項目を含むことができる。「検査の指示」というメインメニュー内容項目１２２Ｂは、「ＭＲＩ」１４０Ａ、「Ｘ線」１４０Ｂ、「血液検査」１４０Ｃ及び「その他」の検査１４０Ｄの指示などのサブメニュー内容項目１４０を含むことができる。
【００２４】
「タイムラインの表示」というメインメニュー内容項目１２２Ｃは、例えば３Ｄアバター１０２上に表示された医療記録１１１のタイムラインを表示するためのサブメニュー内容項目を含むことができる。これらのサブメニュー内容項目は、医療情報カテゴリ１１２Ａ〜Ｃに基づいて表示されるように医療記録１１１をグループ化することができる。例えば、「タイムラインの表示」のメインメニュー内容項目１２２Ｃは、サブメニュー内容項目１５０Ａである「頭痛」カテゴリ１１２Ａ、サブメニュー内容項目１５０Ｂである「発疹」カテゴリ１１２Ｂ、サブメニュー内容項目１５０Ｃである「火傷」カテゴリ１１２Ｃ及びサブメニュー内容項目１５０Ｄである「その他」の医療情報カテゴリのタイムラインを表示するためのサブメニュー内容項目を含むことができる。「新たな医療記録の作成」というメインメニュー内容項目１２２Ｄは、例えば新たな「テキスト」医療記録１６０Ａ、新たな「オーディオ」医療記録１６０Ｂ、新たな「ビデオ」医療記録１６０Ｃ及び新たな「その他」の医療記録１６０Ｄなどの様々なデータ型の新たな医療記録を作成するためのサブメニュー内容項目を含むことができる。
【００２５】
内容項目は、メインメニュー内容項目１２２Ａ〜Ｄと、サブメニュー内容項目１３０Ａ〜Ｄ、１４０Ａ〜Ｄ、１５０Ａ〜Ｄ及び１６０Ａ〜Ｄと、医療記録内容項目１１４Ａ〜Ｃとを含む。様々な内容項目は、アイコン、画像、医療記録、テキストデータ、２Ｄデータ、３Ｄデータ、オーディオデータ、ビデオデータ、プレビュー、概要、又はこれらのいずれかの組み合わせを含み、又はこれらに関連することができる。
【００２６】
医療専門家と３Ｄアバター医療情報システムとの相互作用
医療専門家１００は、例えば内容項目に関連する表示画像上で指を上下させることで様々な内容項目に「タッチ」して３Ｄアバター１０２及びユーザメニュー１２０と相互作用することによって、３Ｄアバター医療情報システム１０４と相互作用することができる。例えば、医療専門家１００は、「発疹」カテゴリ１１２Ｂのさらなる情報を見るために、「発疹」カテゴリ１１２Ｂの医療記録内容項目１１４Ｂが３Ｄアバター１０２の前方空間に浮かんで見えている時にこれに「タッチ」１７０することができる。医療専門家１００は、タイムラインとして示されている「火傷」カテゴリ１１２Ｃの医療記録１１１を見るために、「火傷」カテゴリ１１２Ｃの医療記録１１１に対応するサブメニュー内容項目１５０Ｃを「タッチ」１７２することができる。医療専門家１００は、新たな医療記録を作成するために、新たな「オーディオ」医療記録を作成するためのサブメニュー内容項目１６０Ｂに「タッチ」１７４することができる。空間内に出現する様々な内容項目と相互作用する能力は、医療専門家の指が３次元空間内で動いた時にこれらの指の位置を特定するヘッドセット内の画像センサ（例えば、カメラ）によって制御することができる。
【００２７】
医療専門家１００と３Ｄアバター医療情報システム１０４との相互作用の他の非限定的な例としては、３Ｄアバター１０２上でのズームイン及びズームアウト、３Ｄアバター１０２の回転、及び３Ｄアバター１０２の配向が挙げられる。医療専門家１００は、３Ｄアバター１０２上でズームイン又はズームアウトを行いたいと望む時には、３Ｄアバター１０２に２本の指で「タッチ」し、これら指を互いに遠ざけ又は近づけて「動かす」ことができる。ホログラフィックアイウェア１０６は、このような「タッチ」及び「動き」が生じたと判断すると、拡大又は縮小された３Ｄアバター１０２を医療専門家１００に表示することができる。
【００２８】
タッチ
医療専門家１００は、内容項目に「タッチ」すると、ホログラフィックアイウェア１０６を通じて、１本又は２本以上の自分の指、手、腕、脚、或いは自分とつながっている１又は２以上の物体が内容項目を表す図形表示に接触する様子が見える。ホログラフィックアイウェア１０６は、例えばホログラフィックアイウェア１０６のセンサを用いてこのような接触が生じたと判断する。ホログラフィックアイウェア１０６は、このような接触が生じたと判断すると、医療専門家１００が「タッチ」した内容項目に対するプログラムされた応答に基づいて、医療専門家１００への表示を更新することができる。
【００２９】
医療専門家と３Ｄアバターとの相互作用
図２は、医療専門家１００と３Ｄアバター１０２上に表示された医療記録との例示的な相互作用を示す概略図である。医療専門家１００は、「発疹」カテゴリ１１２Ｂのさらなる情報を取得するために、表示された「発疹」カテゴリ１１２Ｂの医療記録内容項目１１４Ｂのグラフィック表現又はグラフィック表示に「タッチ」することができる。ホログラフィックアイウェア１０６は、表示された「発疹」１１２Ｂの医療記録内容項目１１４Ｂのグラフィック表現に医療専門家１００が「タッチ」したと判断すると、医療記録内容項目１１４Ｂが「タッチ」されたことに基づいて、医療専門家１００に示す表示を更新することができる。図２には、本開示のいくつかの実施形態において医療専門家１００に示される更新後の表示を示す。
【００３０】
更新後の医療記録内容項目１１４Ｂ’は、医療記録内容項目１１４Ｂの拡大版とすることができる。いくつかの実施形態では、更新後の医療記録内容項目１１４Ｂ’が、「発疹」カテゴリ１１２Ｂのさらに詳細な医療記録を医療専門家１００に示すことができる。ホログラフィックアイウェア１０６は、例えば右前腕を強調表示ボックス２０２Ｂで強調表示することによって、医療記録内容項目１１４Ｂ’が患者の右前腕上の発疹に関連している旨を示すことができる。
【００３１】
ホログラフィックアイウェア１０６が更新後の医療記録内容項目１１４Ｂ’を医療専門家１００に表示すると、医療専門家１００は、この更新後の医療記録内容項目１１４Ｂ’と相互作用することができる。例えば、医療専門家１００は、更新後の医療記録内容項目１１４Ｂ’上で、例えば自分の指を動かすことによってズームインを行うことができる。医療専門家１００は、更新後の医療記録内容項目１１４Ｂ’上でズームインを行いたいと望む場合、表示された更新後の医療記録内容項目１１４Ｂ’のグラフィック表現に２本の指で「タッチ」し、これら指を互いに遠ざけて動かすことができる２０４。ホログラフィックアイウェア１０６は、このような「タッチ」及び「動き」が生じたと判断すると、更新後の医療記録内容項目１１４Ｂ”を表示することができる。更新後の医療記録内容項目１１４Ｂ’及び１１４Ｂ”は、同じサイズ又は異なるサイズを有することができる。医療専門家１００と３Ｄアバター医療情報システム１０４との他の非限定的な相互作用の例としては、ズームアウト、クリックして拡大、及びユーザメニュー１２０に戻る、が挙げられる。
【００３２】
疾病タイムライン
図３は、医療専門家１００と疾病タイムラインとの例示的な相互作用を示す概略図である。医療専門家１００は、強調表示ボックス２０２Ｃに関連する記録、或いは強調表示ボックス２０２Ｃ内に表示又は要約された記録を見るために、「火傷」カテゴリのサブメニュー内容項目に「タッチ」することができる。システムは、火傷に関する経時的な情報を含むタイムライン３０２を表示することができる。医療専門家１００は、タイムライン３０２を用いて患者の疾病の進行及び回復をモニタし、異なる治療過程が実行可能であるかどうか又は望ましいかどうかを判断することができる。タイムライン３０２は、各医学的問題が身体のどこで診断されたかに基づいて、医療記録を視覚的かつ直感的に編成して表示することができる。患者が後で再び医者又は病院を訪れた場合、医療専門家１００は、以前の通院からの医療記録のタイムライン３０２を調べることができる。いくつかの実施形態では、医療専門家１００が、タイムライン３０２をスクロールして以前の通院からの様々な医療記録を見直すことができる。
【００３３】
タイムライン３０２を有する更新後の医療記録内容項目１１４Ｃ’は、例えばテキストデータ、２Ｄデータ、３Ｄデータ、オーディオデータ、ビデオデータ、プレビュー、概要、又はこれらのいずれかの組み合わせなどの様々なデータ型の複数の医療記録内容項目を含むことができる。例えば、図３では、更新後の医療記録内容項目１１４Ｃ’内に３つの医療記録内容項目３１２Ａ〜３１２Ｃが示されている。医療記録内容項目３１２Ａ〜３１２Ｃは、それぞれテキストデータ、オーディオデータ及びビデオデータとすることができる。医療記録内容項目３１２Ａ〜３１２Ｃは、異なる時点における患者の疾病の進行及び回復のタイムラインを表すことができる。例えば、医療記録内容項目３１２Ａのテキストデータは、例えば７月２３日などの第１の時点における火傷に関する医療専門家１００が書いたメモ及び観察記録とすることができる。医療記録内容項目３１２Ｂのオーディオデータは、例えば８月２４日などの第１の時点よりも後の第２の時点における火傷に関する医療専門家１００による音声メモ及び音声観察記録とすることができる。医療記録内容項目３１２Ｃとして表示されるビデオ医療記録は、例えば９月１５日などの第１及び第２の時点よりも後の第３の時点における火傷のビデオデータを含むことができる。
【００３４】
ホログラフィックアイウェア１０６は、例えば右膝蓋骨を強調表示ボックス２０２Ｃで強調表示することによって、医療記録内容項目１１４Ｃ’が右膝蓋骨上の火傷に関連する旨を示すことができる。ホログラフィックアイウェア１０６が更新後の医療記録内容項目１１４Ｃ’を医療専門家１００に表示すると、医療専門家１００は、この更新後の医療記録内容項目１１４Ｃ’と相互作用することができる。例えば、医療専門家１００は、例えば指を動かしてスクロール３１０することによって、図示の医療記録内容項目３０２の第１の時点よりも前の医療記録内容項目を見ることができる。医療専門家１００は、スクロール３１０したいと望む場合、更新後の医療記録内容項目１１４Ｃ’のグラフィック表示に１本の指で「タッチ」し、例えば医療記録内容項目３１２Ａの第１の時点よりも前の時点に対応する左方向に指を「動かす」ことができる。アイウェア１０６上の画像センサは、この指の動きをモニタして取り込むことにより、医療専門家１００が表示中の記録以外の記録を見直したいと望んでいると判断することができる。ホログラフィックアイウェア１０６は、このような「タッチ」及び「動き」が生じたと判断すると、更新後の医療記録内容項目１１４Ｃ”を表示することができる。
【００３５】
いくつかの実施形態では、医療専門家１００が、例えば指を動かすことによって医療記録内容項目３１２Ｃのビデオ医療記録を見ることができる。医療専門家１００は、医療記録内容項目３１２Ｃのビデオ医療記録を見たいと望む場合、医療記録内容項目３１２に１本の指で「タッチ」３２０することができる。ホログラフィックアイウェア１０６は、このような「タッチ」が行われたと判断すると、医療記録内容項目３１２Ｃのビデオ医療記録を表示することができる。医療専門家１００と更新後の医療記録内容項目１１４Ｃ’との他の非限定的な相互作用の例としては、ズームイン、ズームアウト、クリックして拡大、及びユーザメニュー１２０に戻る、が挙げられる。
【００３６】
患者タイムライン
いくつかの実施形態では、ホログラフィックアイウェア１０６が、医療専門家１００に患者のタイムラインを表示することができる。このタイムラインは、患者の医療記録が利用可能な時点を表示することができる。医療専門家１００は、タイムラインをスクロールして、異なる時点における患者の医療記録を調べることができる。医療専門家１００がタイムラインをスクロールするにつれ、医療記録の表示は、異なる時点における患者の病状及び患者の医療記録の利用可能性に基づいて変化することができる。医療専門家１００は、このタイムラインを用いて患者の健康及び疾病の経時的な進行をモニタすることができる。
【００３７】
医療専門家１００は、タイムラインのグラフィック表示に１本の指で「タッチ」し、例えば第１の時点からその後の第２の時点への移動に対応する右方向に指を「動かす」ことによって、タイムラインを図形入力としてスクロールすることができる。アイウェア１０６上の画像センサは、この動きをモニタして取り込むことにより、医療専門家１００が第１の時点から第２の時点にスクロールしたいと望んでいると判断することができる。ホログラフィックアイウェア１０６は、このような「タッチ」及び「動き」が生じたと判断すると、３Ｄアバター１０６上に更新後の医療記録内容項目を表示することができる。例えば、第１の時点では、患者が肝臓癌を有している可能性があり、ホログラフィックアイウェア１０６は、肝臓癌に関する医療記録を、３Ｄアバターの肝臓の空間的近傍に出現する医療記録内容項目として表示することができる。第２の時点では、肝臓癌が患者の肺及び脳に転移している可能性がある。医療専門家１００が第２の時点にスクロールすると、ホログラフィックアイウェア１０６は、これらの転移に関する医療記録を、肺及び脳に対応する３Ｄアバターの位置の空間的近傍に出現する２つの医療記録内容項目として表示することができる。
【００３８】
記録の作成
図４は、医療専門家１００による、新たな医療記録の作成と、３Ｄアバター上への新たな医療記録のピニングとを示す概略図である。患者は、医者又は病院への通院中に、例えば左足首１１２Ｄの骨折などの新たな疾病又は症状を患っていることを医療専門家１００に告げることがある。医療専門家１００は、左足首１１２Ｄの骨折についての新たな医療記録を作成するために、表示された新たな「オーディオ」記録を作成するためのサブメニュー内容項目のグラフィック表現に「タッチ」することができる。いくつかの実施形態では、医療専門家１００が新たな医療記録を取り込んで記録すると、ホログラフィックアイウェア１０６は、例えば図３に示すタイムライン３０２などのタイムラインを医療専門家１００に表示することができる。
【００３９】
ホログラフィックアイウェア１０６は、医療専門家１００が新たなオーディオ医療記録を記録するためのサブメニュー内容項目の表示グラフィック表現に「タッチ」したと判断すると、新たなオーディオ医療記録を記録するための記録メニュー内容項目４００を示すように表示を更新することができる。記録メニュー内容項目４００のグラフィック表現は、１又は２以上のサブメニュー内容項目４０２Ａ〜Ｄを含むことができる。非限定的な１又は２以上の新たなサブメニュー内容項目の例としては、新たなオーディオ医療記録を記録するためのサブメニュー内容項目４０２Ａ、新たなオーディオ医療記録の記録を一時停止するためのサブメニュー内容項目４０２Ｂ、新たなオーディオ医療記録を記録しながら巻戻しを行うためのサブメニュー内容項目４０２Ｃ、及び新たなオーディオ医療記録を記録しながら早送りを行うためのサブメニュー内容項目４０２Ｄが挙げられる。
【００４０】
ホログラフィックアイウェア１０６が医療専門家１００に記録メニュー内容項目４００を表示すると、医療専門家１００は、表示された新たなオーディオ医療記録を記録するためのサブメニュー内容項目４０２Ａのグラフィック表現を「タッチ」することによって記録メニュー内容項目４００と相互作用することができる。１つの例では、アイウェア１０６が、医療専門家の指の位置を検出して内容項目が「タッチ」されたと判断する１又は２以上のセンサを含む。ホログラフィックアイウェア１０６は、新たなオーディオ医療記録を記録するための１又は２以上のマイクを含むこともできる。医療専門家１００は、新たなオーディオ医療記録を作成したら、この新たなオーディオ医療記録を３Ｄアバター１０２の左足首のピニング位置にピニング４１２することができる。この新たなオーディオ医療記録は、左足首１１２Ｄの骨折箇所のピニング位置に医療記録内容項目１１４Ｄとして表示することができる。ホログラフィックアイウェア１０６は、医療専門家１００に、３Ｄアバター１０２の左足首に対する新たな医療記録内容項目１１４Ｄのピニングを確認４１０するように要求することができる。いくつかの実施形態では、ホログラフィックアイウェア１０６が、医療記録をピニング位置にピニングする必要なく、例えば３Ｄアバター１０２の左足首などの新たなオーディオ医療記録のためのピニング位置を特定することができる。いくつかの実施形態では、ホログラフィックアイウェア１０６が、特定した新たな医療記録内容項目１１４Ｄのピニング位置を確認するように医療専門家１００に要求することができる。ホログラフィックアイウェア１０６は、その後の医療専門家１１０とホログラフィックアイウェア１０６との相互作用中に、医療専門家１１０及び他の医療専門家に対してこのピニング位置に医療記録内容項目１１４Ｄを表示することができる。
【００４１】
ホログラフィックアイウェア
図５は、ホログラフィックアイウェア１０６、３Ｄアバター医療情報システム１０４及び電子医療記録システム１１０の例示的な動作環境を示すブロック図である。ホログラフィックアイウェア１０６の構成は数多く考えられるが、図５には、ホログラフィックアイウェア１０６のいくつかの実施形態のみを示す。図示のように、ホログラフィックアイウェア１０６は、メモリ５０８Ａ、ストレージ５１０Ａ及び通信インターフェイス５１２Ａと電気的に通信するプロセッサ５０６Ａを含むことができる。メモリ５０８Ａは、ホログラフィックアイウェア１０６の電源オン時にホログラフィックアイウェア１０６に実装された機能又はプロセスを実行するようにプロセッサ５０６Ａを構成する命令を記憶する。ホログラフィックアイウェア１０６の電源オフ時には、ストレージ５１０Ａが、このホログラフィックアイウェア１０６の機能を実行するようにプロセッサ５０６Ａを構成する命令を記憶する。通信インターフェイス５１２Ａは、ホログラフィックアイウェア１０６と、例えば３Ｄアバター医療情報システム１０４などの、ネットワーク１０８に接続された他の装置との間の通信を容易にする。
【００４２】
ホログラフィックアイウェア１０６は、プロセッサ５０６Ａと電気的に通信する、動きセンサ５１４Ａ、方位センサ５１４Ｂ、画像センサ５１４Ｃ、マイク５１４Ｃ及び位置センサ５１４Ｄなどの１又は２以上のセンサを含むことができる。これらのセンサは、医療専門家の動きと、例えばホログラフィックアイウェア１０６への音声指示などの医療専門家が発する音とを検出するように構成することができる。これらのセンサは、ホログラフィックアイウェア１０６のレンズを通じて医療専門家１００に見えるような、医療専門家１００の周囲の人々及び物体の動きを検出することもできる。
【００４３】
ホログラフィックアイウェア１０６は、医療専門家識別器５２４Ａ及びアバター表示器５２６を含むことができる。医療専門家識別器５２４Ａは、ホログラフィックアイウェア１０６の１又は２以上のセンサ５１４Ａ〜Ｅによって取り込まれたデータを用いた画像認証及び生体認証に基づいて、ホログラフィックアイウェア１０６の着用者のアイデンティティを特定するように構成される。アバター表示器５２６は、医療専門家１００に対して３Ｄアバター１０２を表示するように構成される。
【００４４】
ホログラフィックアイウェア１０６は、記録検索器５２８Ａと、内容項目表示器５３０と、記録作成器５３２Ａと、記録更新器５３４Ａと、記録ピニング器５３６Ａとを含むことができる。記録検索器５２８Ａは、電子医療記録システム１１０から医療記録を検索するように構成される。内容項目表示器５３０は、医療記録を内容項目及びタイムラインとして医療専門家１００に表示するように構成される。記録作成器５３２Ａは、電子医療記録システム１１０に記憶する医療記録を作成するように構成される。記録更新器５３４Ａは、電子医療記録システム１１０に記憶された医療記録を更新するように構成される。記録ピニング器５３６Ａは、医療記録内容項目として表示するための医療記録を医療専門家が３Ｄアバター１０２上の位置にピニングできるようにするよう構成される。
【００４５】
ホログラフィックアイウェア１０６は、患者識別器５３８、計器識別器５３９、指示判別器５４０、３Ｄアバター医療情報システムコミュニケータ５４２Ａ及びタスクワークフローモジュール５４４Ａのうちの１つ又は２つ以上を含むこともできる。患者識別器５３８は、例えばコンピュータビジョンアルゴリズムを用いて、医療専門家がホログラフィックアイウェア１０６のレンズを通じて見ている患者のアイデンティティを特定するように構成される。計器識別器５３９は、医療専門家がホログラフィックアイウェア１０６のレンズを通じて見ている計器のアイデンティティを特定するように構成される。指示判別器５４０は、１又は２以上のセンサに基づいて、医療専門家１００がホログラフィックアイウェア１０６に与えた指示を判別するように構成される。３Ｄアバター医療情報システムコミュニケータ５４２Ａ及び通信インターフェイス５１２Ａは、ホログラフィックアイウェア１０６と３Ｄアバター医療情報システム１０４との間の通信を容易にするように構成される。タスクワークフローモジュール５４４Ａは、様々な状況下において従うべき手順を医療専門家１００に知らせるように構成される。
【００４６】
３Ｄアバター医療情報システム
３Ｄアバター医療情報システム１０４の構成は数多く考えられるが、図５には、３Ｄアバター医療情報システム１０４のいくつかの実施形態のみを示す。図示のように、３Ｄアバター医療情報システム１０４は、メモリ５０８Ｂ、ストレージ５１０Ｂ及び通信インターフェイス５１２Ｂと電気的に通信するプロセッサ５０６Ｂを含むことができる。プロセッサ５０６Ｂ、メモリ５０８Ｂ及びストレージ５１０Ｂの機能は、プロセッサ５０６Ａ、メモリ５０８Ａ及びストレージ５１０Ａの機能と同様である。通信インターフェイス５１２Ｂは、３Ｄアバター医療情報システム１０４と、例えばホログラフィックアイウェア１０６及び電子医療記録システム１１０などの、ネットワーク１０８に接続された他の装置との間の通信を容易にする。
【００４７】
３Ｄアバター医療情報システム１０４は、ホログラフィックアイウェア１０６の着用者のアイデンティティを特定するように構成された医療専門家識別器５２４Ｂを含むことができる。ホログラフィックアイウェア１０６は、記録検索器５２８Ｂ、記録作成器５３２Ｂ、記録更新器５３４Ｂ及び記録ピニング器５３６Ｂのうちの１つ又は２つ以上を含むことができる。記録検索器５２８Ｂは、電子医療記録システム１１０に記憶されている医療記録１１１を検索するように構成される。記録作成器５３２Ｂは、電子医療記録システム１１０に記憶する新たな医療記録を作成するように構成される。記録ピニング器５３６Ｂは、ピニング位置と、ピニング位置と医療記録１１１との間の関連性とを記憶するように構成される。
【００４８】
３Ｄアバター医療情報システム１０４は、タスクワークフローモジュール５４４Ｂ、アイウェアコミュニケータ５５０及び電子医療記録システム（ＥＭＲＳ）コミュニケータ５５２のうちの１つ又は２つ以上を含むことができる。タスクワークフローモジュール５４４Ｂは、様々な状況下において医療専門家１００が従うべき適切な命令を決定するように構成される。アイウェアコミュニケータ５５０及び通信インターフェイス５１２Ｂは、３Ｄアバター医療情報システム１０４とホログラフィックアイウェア１０６との間の通信を容易にするように構成される。電子医療記録システムコミュニケータ５５２及び通信インターフェイス５１２Ｂは、３Ｄアバター医療情報システム１０４と電子医療記録システム１１０との間の通信を容易にするように構成される。
【００４９】
電子医療記録システム
電子医療記録システム１１０の構成は数多く考えられるが、図５には、電子医療記録システム１１０のいくつかの実施形態のみを示す。図示のように、電子医療記録システム１１０は、メモリ５０８Ｃ、ストレージ５１０Ｃ及び通信インターフェイス５１２Ｃと電気的に通信するプロセッサ５０６Ｃを含むことができる。プロセッサ５０６Ｃ、メモリ５０８Ｃ及びストレージ５１０Ｃの機能は、プロセッサ５０６Ａ、メモリ５０８Ａ及びストレージ５１０Ａの機能と同様である。ストレージ５１０Ｃは、患者医療記録を記憶することもできる。通信インターフェイス５１２Ｃは、電子医療記録システム１１０と、例えば３Ｄアバター医療情報システム１０４などの、ネットワーク１０８に接続された他の装置との間の通信を容易にする。
【００５０】
ホログラフィックアイウェア１０６は、記録検索器５２８Ｃ、記録作成器５３２Ｃ、記録更新器５３４Ｃ及び３Ｄアバター医療情報システムコミュニケータ５４２Ｃのうちの１つ又は２つ以上を含むことができる。記録検索器５２８Ｃは、電子医療記録システム１１０のストレージ５１０Ｃに記憶されている医療記録を検索するように構成される。記録作成器５３２Ｃは、電子医療記録システム１１０のストレージ５１０Ｃに記憶する医療記録を作成するように構成される。記録更新器５３４Ｃは、ストレージ５１０Ｃに記憶されている医療記録を更新するように構成される。３Ｄアバター医療情報システムコミュニケータ５４２Ｃは、電子医療記録システム１１０と３Ｄアバター医療情報システム１０４との間の通信を容易にするように構成される。
【００５１】
いくつかの実施形態では、３Ｄアバター医療情報システム１０４が、ホログラフィックアイウェア１０６に実装された機能又はプロセスの一部を実行することができる。いくつかの実施形態では、ホログラフィックアイウェア１０６が、３Ｄアバター医療情報システム１０４に実装された機能又はプロセスの一部を実行することができる。いくつかの実施形態では、３Ｄアバター医療情報システム１０４が、電子医療記録システム１１０に実装された機能又はプロセスの一部を実行することができる。いくつかの実施形態では、電子医療記録システム１１０が、３Ｄアバター医療情報システム１０４に実装された機能又はプロセスの一部を実行することができる。
【００５２】
本開示によるいくつかの実施形態では、プロセッサ５０６Ａ〜５０６Ｃを、メモリ５０８Ａ〜５０８Ｃ及びストレージ５１０Ａ〜５１０Ｃのうちの１つ又は２つ以上にそれぞれデータを記憶又は送信するように構成することができる。プロセッサ５０６Ａ〜５０６Ｃは、メモリ５０８Ａ〜５０８Ｃをそれぞれ利用して、ホログラフィックアイウェア１０６、３Ｄアバター医療情報システム１０４及び電子医療記録システム１１０の動作中にそれぞれ動的に作成されたデータを記憶することができる。メモリ５０８Ａ〜５０８Ｃは、プロセッサ５０６Ａ〜５０６Ｃ上で実行されるプログラムが利用するスタックデータ又はヒープデータなどの動的ランタイムデータをそれぞれ記憶することもできる。ストレージ５１０Ａ〜５１０Ｃは、ホログラフィックアイウェア１０６、３Ｄアバター医療情報システム１０４及び電子医療記録システム１１０によって生成されたデータをそれぞれ記憶するために利用することができる。例えば、ストレージ５１０Ａ〜５１０Ｂには、医療専門家１００による指示を記憶することができる。いくつかの実施形態では、メモリ５０８Ａ〜５０８Ｂ及びストレージ５１０Ａ〜５１０Ｂのうちの１つ又は２つ以上に１又は２以上のセンサからのセンサデータを記憶することができる。
【００５３】
本開示によるいくつか実施形態では、メモリ５０８〜５０８Ｃをコンピュータ可読媒体と見なすことができ、これらのメモリは、ホログラフィックアイウェア１０６、３Ｄアバター医療情報システム１０４及び電子医療記録システム１１０の１又は２以上のプログラムをそれぞれ記憶することができる。１又は２以上のプログラムは、プロセッサ５０６Ａ〜５０６Ｃのための命令を定めるデータ値を記憶する。これらの命令は、プロセッサ５０６Ａ〜５０６Ｃを、ホログラフィックアイウェア１０６、３Ｄアバター医療情報システム１０４及び電子医療記録システム１１０の機能をそれぞれ実行するように構成する。例えば、いくつかの態様では、メモリ５０８Ａ〜５０８Ｃを、例えばホログラフィックアイウェア１０６によって要求された医療記録１１１を検索することなどの様々な機能をプロセッサ５０６Ａ〜５０６Ｃにそれぞれ実行させる命令を記憶するように構成することができる。
【００５４】
３Ｄアバター医療情報システム１０４及びホログラフィックアイウェア１０６は、それぞれ通信インターフェイス５１２Ａ〜５１２Ｂを用いてネットワーク１０８を介して互いに通信することができる。３Ｄアバター医療情報システム１０４及び電子医療記録システム１１０は、それぞれ通信インターフェイス５１２Ｂ〜５１２Ｃを用いてネットワーク１０８を介して互いに通信することができる。通信インターフェイス５１２Ａ〜５１２Ｃは、有線又は無線通信、セルラー通信、Ｂｌｕｅｔｏｏｔｈ（登録商標）、ローカルエリアネットワーク（ＬＡＮ）、ワイドローカルエリアネットワーク（ＷＬＡＮ）、無線周波数（ＲＦ）、赤外線（ＩＲ）、或いは当業で周知の他のいずれかの通信方法又はシステムによってネットワーク１０８に接続することができる。いくつかの実施形態では、通信インターフェイス５１２Ａ〜５１２Ｃがクラウド接続を用いて互いに通信する。３Ｄアバター医療情報システム１０４は、通信インターフェイス５１２Ａ〜５１２Ｂ、３Ｄアバター医療情報システムコミュニケータ５４２Ａ及びアイウェアコミュニケータ５５０を用いてホログラフィックアイウェア１０６との間でデータを送受信することができる。３Ｄアバター医療情報システム１０４は、通信インターフェイス５１２Ｂ〜５１２Ｃ、電子医療記録システムコミュニケータ５５２及び３Ｄアバター医療情報システム５４４Ｃを用いて電子医療記録システム１１０との間でデータを送受信することができる。
【００５５】
センサ
ホログラフィックアイウェアは、動きセンサ５１４Ａ、方位センサ５１４Ｂ、画像センサ５１４Ｃ、マイク５１４Ｄ及び位置センサ５１４Ｅのうちの１つ又は２つ以上を含むことができる。動きセンサ５１４Ａは、ホログラフィックアイウェア１０６を着用して操作している医療専門家１００のうなずきなどの動きの検知、検出及び特定を行うように構成することができる。図４に関して説明したように、ホログラフィックアイウェア１０６が、３Ｄアバター１０２の左足首に新たな医療記録内容項目１１４Ｄをピニング４１２したことを確認するように医療専門家１００に要求すると、医療専門家１００は、うなずいてピニング４１２の位置の確認を示すことができる。いくつかの実施形態では、動きセンサ５１４Ａが、医療専門家の動きを、指示判別器５４０が処理する電気信号に変換することができる。
【００５６】
図５を参照すると、いくつかの実施形態では、動きセンサ５１４Ａが、医療専門家１００がホログラフィックアイウェア１０６上で伝えた動きの検知、検出及び特定を行えるように構成された単軸加速度計を含むことができる。いくつかの実施形態では、動きセンサ５１４Ａが、複数方向の動き及び振動の検出を可能にして検出感度を高めるように、例えば単軸加速度計及び３Ｄ加速度計などの複数の加速度計を含むことができる。
【００５７】
方位センサ５１４Ｂは、例えば医療専門家１００が検査を行っている病院内の検査室の床などの固定面に対する医療専門家の頭部の配向を判断するように構成することができる。例えば、ホログラフィックアイウェア１０６は、３Ｄアバター１０２を固定面に対して一定配向で表示するように構成することができる。医療専門家１００が頭部を一方向に１０°などの一定程度だけ傾けると、ホログラフィックアイウェア１０６は、方位センサ５１４Ｂを用いてこのような傾きを検出することができる。ホログラフィックアイウェア１０６は、このような傾きを検出したことに応答して、医療専門家１００に対する３Ｄアバター１０２の表示を１０°などの同程度だけ逆方向に傾けることができる。この結果、医療専門家１００は、３Ｄアバター１０２が固定面に対して一定の配向を有していることが分かる。ホログラフィックアイウェア１０６の配向が変化しても、固定面に対する３Ｄアバター１０２の配向は変化しない。いくつかの実施形態では、方位センサ５１４Ｂが、指示判別器５４０が処理できるように配向情報を電気信号に変換することができる。
【００５８】
ホログラフィックアイウェア１０６は、例えば２つの画像センサ５１４Ｃを含むことができる。ホログラフィックアイウェア１０６は、この２つの画像センサ５１４Ｃにより、医療専門家１００が見ているものを取り込んで再現することができる。２つの画像センサ５１４Ｃの一方は、医療専門家１００の左目の空間的近傍に配置し、医療専門家の左目が見ている物の一部又は全部を取り込むように配向することができる。２つの画像センサ５１４Ｃの他方は、医療専門家１００の右目の空間的近傍に配置し、医療専門家の右目が見ている物の一部又は全部を取り込むように配向することができる。いくつかの実施形態では、２つの画像センサ５１４Ｃが、指示判別器５４０が処理できるように光子を電気信号及び画像に変換する。いくつかの実施形態では、ホログラフィックアイウェア１０６が、プロセッサ５０６Ａ及びメモリ５０８Ａを用いて２つの画像センサ５１４Ｃからの画像を組み合わせて、医療専門家１００が両目で見ている物の立体画像を形成することができる。いくつかの実施形態では、ホログラフィックアイウェア１０６が１つの画像センサ５１４Ｃを含むこともできる。この画像センサ５１４Ｃは、両目の間に配置して、医療専門家１００が両目で見ている物を検出して近似させるように配向することができる。いくつかの実施形態では、画像センサ５１４Ｃをホログラフィックアイウェア１０６上の他の位置に配置することもできる。
【００５９】
ホログラフィックアイウェア１０６は、１又は２以上の画像センサ５１４Ｃを用いて、医療専門家１００が視野内で見ている物を取り込むことができる。いくつかの実施形態では、ホログラフィックアイウェア１０６が、１又は２以上の画像センサ５１４Ｃを用いて、医療専門家１００がほぼ視野内で見ている物を取り込むことができる。図１に関して説明したように、医療専門家１００が、ホログラフィックアイウェア１０６を通じて、自分の指、手、腕、脚、或いは自分とつながっている１又は２以上の物体が内容項目に接触する様子を見ると、ホログラフィックアイウェア１０６は、このような接触が生じたと判断することができる。ホログラフィックアイウェア１０６は、画像センサ５１４Ｃを用いてこのような接触が生じたと判断することができる。この結果、ホログラフィックアイウェア１０６は、医療専門家１００がホログラフィックアイウェア１０６に与えた視覚による指示を取り込んで「見る」ことができる。いくつかの実施形態では、ホログラフィックアイウェア１０６が、画像センサ５１４Ｃを用いて新たなビデオ医療記録又は新たな画像医療記録を作成することができる。
【００６０】
マイク５１４Ｃは、ホログラフィックアイウェア１０６の周囲の環境及び医療専門家１００からの音を検出するように構成することができる。ホログラフィックアイウェア１０６は、医療専門家１００が聞いたもの及び言ったことを検出して「聞く」。図４に関して説明したように、ホログラフィックアイウェア１０６が、新たな医療記録内容項目１１４Ｄを３Ｄアバター１０２の左足首にピニング４１２したことを確認するように医療専門家１００に要求すると、医療専門家１００は、ピニング４１２の位置の確認を示すために「はい」と言うことができる。いくつかの実施形態では、マイク５１４Ｃが、指示判別器５４０が処理できるように音波を電気信号に変換することができる。
【００６１】
図５を参照すると、位置センサ５１４Ｄは、ホログラフィックアイウェア１０６の位置に基づいて医療専門家１００の位置を特定するように構成することができる。位置センサ５１４Ｄの非限定的な例としては、全地球測位システム（ＧＰＳ）及び補助ＧＰＳ（ａＧＰＳ）トランシーバが挙げられる。医療専門家の指示に対するホログラフィックアイウェアの応答は、医療専門家１００の位置に基づくことができる。ホログラフィックアイウェア１０６は、医療専門家１００の位置に基づいて医療専門家の指示を許可又は拒否することができる。例えば、ホログラフィックアイウェア１０６が、医療専門家１００が病院外に存在すると判断した場合には、医療専門家が機密患者情報にアクセスすることを一切禁止することができる。いくつかの実施形態では、ホログラフィックアイウェア１０６が、医療専門家１００の位置に基づいて、ユーザメニュー１２０、様々な内容項目及び３Ｄアバター１０２の調整、再配置又は再編成を行うことができる。例えば、医療専門家１００が病院のカフェテリアに存在する場合には、患者の検査を指示する権限を医療専門家１００に与えないようにすることができる。従って、ユーザメニュー１２０は、「検査指示」のメインメニュー内容項目１２２Ｂ、並びに「ＭＲＩ」１４０Ａ、「Ｘ線」１４０Ｂ、「血液検査」１４０Ｃ及び「その他」の検査１４０Ｄの指示などのサブメニュー内容項目１４０を表示しないようにすることができる。
【００６２】
医療専門家識別器
医療専門家が患者の医療を上手く管理するには、プライバシーが重要である。ホログラフィックアイウェア１０６は、患者のプライバシーを維持するために、プロセッサ５０６と通信する医療専門家識別器５２４Ａを含むことができる。医療専門家識別器５２４Ａは、ホログラフィックアイウェア１０６の着用者のアイデンティティを特定する。ホログラフィックアイウェア１０６の着用者のアイデンティティを特定する方法としては、画像認証及び生体認証が挙げられる。例えば、ホログラフィックアイウェア１０６の着用者が鏡を覗き込み、画像センサ５１４Ｃが着用者の写真を撮影することができる。医療専門家識別器５２４Ａは、この着用者の写真に基づいて着用者のアイデンティティを特定することができる。いくつかの実施形態では、医療専門家識別器５２４Ａが、３Ｄアバター医療情報システム１０４の医療専門家識別器５２４Ｂに着用者のアイデンティティを送信することができる。いくつかの実施形態では、医療専門家識別器５２４Ａが、着用者のアイデンティティを特定できるように医療専門家識別器５２４Ｂに着用者の画像を送信することができる。
【００６３】
ホログラフィックアイウェア１０６は、着用者のアイデンティティに基づいて、着用者が許可された医療専門家であるかどうか、及び許可された医療専門家がホログラフィックアイウェア１０６を用いて特定の相互作用を行うことを許可されているかどうかを判断することができる。例えば、許可された医療専門家が医師である場合には、この許可された医療専門家が他の患者ではなく自分の患者の検査を指示することを許可することができる。許可された医療専門家が病院の管理職員である場合には、この許可された医療専門家が患者の検査を指示することを許可しないようにすることができる。病院の管理職員には、患者の支払履歴を調べることを許可することができる。
【００６４】
アバター表示
ホログラフィックアイウェア１０６は、プロセッサ５０６Ａと通信するアバター表示器５２６を含むことができる。アバター表示器５２６は、医療専門家１００に対してホログラフィックアイウェア１０６のレンズ上に表示される３Ｄアバター１０２の特性を決定する。非限定的な３Ｄアバター１０２の特性の例としては、色、不透明度、サイズ、配向及び位置が挙げられる。いくつかの実施形態では、アバター表示器５２６が、患者の体重及び身長に基づいて３Ｄアバター１０２のサイズを決定することができる。アバター表示器５２６は、例えばホログラフィックアイウェア１０６のレンズが医療専門家１００に示す様々な内容項目の数及びサイズに基づいて３Ｄアバターのサイズを決定することができる。アバター表示器５２６は、例えばホログラフィックアイウェアの視野内の他の物体の色、不透明度、サイズ、配向及び位置に基づいて３Ｄアバター１０２の位置を決定することもできる。他の物体の非限定的な例としては、患者、診療室の備品及び医療機器が挙げられる。例えば、アバター表示器５２６は、ホログラフィックアイウェア１０６のレンズ上に患者と一致又は重複するように３Ｄアバター１０２を表示することができる。別の例として、アバター表示器５２６は、ホログラフィックアイウェア１０６のレンズ上に患者に隣接するように３Ｄアバター１０２を表示することができる。アバター表示器５２６は、例えばホログラフィックアイウェアの視野内の他の物体の色に基づいて３Ｄアバター１０２の色を決定することもできる。
【００６５】
記録の検索、表示、作成及びピニング
ホログラフィックアイウェア１０６は、プロセッサ５０６Ａと通信する記録検索器５２８Ａ、内容項目表示器５３０、記録作成器５３２Ａ、記録更新器５３４Ａ、及び記録ピニング器５３６Ａのうちの１つ又は２つ以上を含むことができる。記録検索器５２８Ａは（３Ｄアバター医療情報システム１０４の記録検索器５２８Ｂ及び電子医療記録システム１１０の記録検索器５２８Ｃと連携して）、電子医療記録システム１１０に記憶されている医療記録１１１を検索することができる。記録検索器５２８Ａは、電子医療記録システム１１０に記憶されている医療記録１１１を検索するために、医療記録１１１を求める１又は２以上の要求を３Ｄアバター医療情報システム１０４の記録検索器５２８Ｂに送信することができる。記録検索器５２８Ｂは、例えば医療専門家識別器５２４Ａによって特定された医療専門家１００のアイデンティティに基づいて、要求された医療記録１１１を電子医療記録システム１１０の記録検索器５２８Ｃから検索することができる。その後、記録検索器５２８Ｂは、電子医療記録システム１１０から検索された要求医療記録１１１をホログラフィックアイウェア１０６に送信することができる。記録検索器５２８Ｃは、医療専門家１００のアイデンティティと３Ｄアバター医療情報システム１０４の認証とに基づいて、要求された医療記録１１１へのアクセスを許可又は拒否することができる。
【００６６】
内容項目表示器５３０は、ホログラフィックアイウェア１０６のレンズ上の様々な位置に様々な内容項目を表示することができる。内容項目表示器５３０は、ホログラフィックアイウェア１０６のレンズ上の様々な内容項目の位置を決定することができる。いくつかの実施形態では、内容項目表示器５３０が、電子医療記録システム１１０から検索された医療記録１１１の一部又は全部を医療専門家１００に表示することができる。内容項目表示器５３０は、検索された医療記録１１１を、例えば医療記録内容項目１１４Ａ〜Ｄなどの医療記録内容項目としてホログラフィックアイウェア１０６のレンズ上の特定の位置に表示することができる。いくつかの実施形態では、医療記録内容項目１１４の位置が、医療記録内容項目１１４Ａ〜Ｄの作成時に医療専門家１００が決定したピニング位置である。図４に関して説明したように、医療記録内容項目１１４Ｄのピニング位置は、医療記録内容項目１１４の作成時に医療専門家１００が決定した３Ｄアバター１０２の左足首とすることができる。いくつかの実施形態では、この特定の位置が、ホログラフィックアイウェア１０６のレンズ上の３Ｄアバター１０２の位置に関連することができる。
【００６７】
図１に関して説明したように、内容項目１１４は医療記録１１１を含むことができる。記録検索器５２８Ａは、内容項目表示器５３０が「頭痛」カテゴリ１１２Ａの内容項目を表示できるように、「頭痛」カテゴリ１１２Ａの患者の医療記録１１１の一部又は全部を検索することができる。医療専門家１００が「発疹」カテゴリ１１２Ｂの医療記録内容項目１１４Ｂに「タッチ」１７０すると、記録検索器５２８Ａは、内容項目表示器５３０が表示できるように「発疹」カテゴリの患者の医療記録１１１の一部又は全部を検索することができる。内容項目表示５３０は、患者の医療記録１１１を、図２に関して説明したような更新後の医療記録内容項目１１４Ｂ’として表示することができる。記録検索器５２８Ａは、内容項目表示器５３０が医療記録内容項目３１２Ａ〜３１２Ｃを図３に関して説明したようなタイムラインとして表示できるように、「火傷」カテゴリ１１２Ｃの患者の医療記録１１１の一部又は全部を検索することができる。記録検索器５２８Ａは、内容項目表示器５３０が医療記録内容項目３１２Ｃのビデオ医療記録を表示できるように、ビデオ医療記録の一部又は全部を検索することができる。
【００６８】
図５を参照すると、記録作成器５３２Ａは（３Ｄアバター医療情報システム１０４の記録作成器５３２Ｂ及び電子医療記録システム１１０の記録作成器５３２Ｃと連携して）、医療専門家１００による新たな医療記録の作成及び記憶を可能にする。電子医療記録システム１１０は、新たな医療記録をストレージ５１０Ｃに記憶することができる。図１及び図４に関して説明したように、医療専門家１００は、新たな医療記録を作成するために、新たな「オーディオ」記録を作成するサブメニュー内容項目１６０Ｂに「タッチ」１７４することができる。ホログラフィックアイウェア１０６が、表示された新たなオーディオ医療記録を記録するサブメニュー内容項目１６０Ｂのグラフィック表現に医療専門家１００が「タッチ」１７４したと判断すると、内容項目表示器５３０は、医療専門家１００に示す表示を更新することができる。内容項目表示器５３０は、新たなオーディオ医療記録を記録するための新たなメニュー内容項目４００を表示することができる。医療専門家１００が新たなオーディオ医療記録の作成完了を確認すると、記録作成器５３２Ａは、この新たなオーディオ医療記録を、電子医療記録システム１１０の記録作成器５３２Ｃがストレージ５１０Ｃに記憶できるように記録作成器５３２Ｂに送信する。
【００６９】
図５を参照すると、記録更新器５３４Ａは、電子医療記録システム１１０のストレージ５１０Ｃに記憶されている医療記録１１１を医療専門家１００が更新できるようにする。いくつかの実施形態では、記録更新器５３４Ａが、既存の医療記録１１１の内容を更新することができる。記録更新器５３４Ａは（３Ｄアバター医療情報システム１０４の記録更新器５３４Ｂ及び電子医療記録システム１１０の記録更新器５３４Ｃと連携して）、ストレージ５１０Ｃに記憶されている医療記録１１１を更新することができる。いくつかの実施形態では、記録更新器５３４Ａが（記録作成器５３２Ａと連携して）、更新後の医療記録を新たな医療記録としてストレージ５１０Ｃに記憶することができる。
【００７０】
記録ピニング器５３６Ａは、医療専門家が医療記録を３Ｄアバター１０２上の位置にピニングして医療記録内容項目として表示できるようにする。記録ピニング器５３６Ａは（指示判別器５４０と連携して）、ピニング位置を特定することができる。図４に関して説明したように、新たなオーディオ医療記録が生成されると、医療専門家１００は、この新たなオーディオ医療記録をピニング位置にピニングすることができる４１２。例えば、ピニング位置は、３Ｄアバター１０２の左足首とすることができる。新たなオーディオ医療記録は、３Ｄアバター１０２の左足首１１２Ｄのピニング位置に医療記録内容項目１１４Ｄとして表示することができる。いくつかの実施形態では、医療専門家１００が医療記録をピニング位置にピニングする必要なく、記録ピニング器５３６Ａが、例えば３Ｄアバター１０２の左足首などの新たなオーディオ医療記録のためのピニング位置を特定することができる。いくつかの実施形態では、記録ピニング器５３６Ａが、医療専門家１００に新たな医療記録内容項目１１４Ｄのピニング位置を確認するように要求することができる。内容項目表示器５３０は、その後の医療専門家１００とホログラフィックアイウェア１０６との間の相互作用中に、記録ピニング器５３６Ａによって提供されたピニング位置に医療記録内容項目１１４Ｄを表示することができる。
【００７１】
いくつかの実施形態では、記録ピニング器５３６Ａが、既存のピニング位置を有する医療記録のピニング位置を医療専門家１１０が更新できるようにする。例えば、内容項目表示器５３０は、新たなオーディオ医療記録を３Ｄアバター１０２の左足首１１２Ｄのピニング位置に医療記録内容項目１１４Ｄとして表示することができる。医療専門家１１０は、このピニング位置を、例えば３Ｄアバター１０２の左足首から右足首に動かすことができる。いくつかの実施形態では、記録ピニング器５３６Ａが、ストレージ５１０Ｃに既存のピニング位置を伴わずに記憶されている既存の医療記録１１１のピニング位置を医療専門家１１０が作成できるようにする。
【００７２】
ピニング位置が決まると、記録ピニング器５３６Ａは、このピニング位置を３Ｄアバター医療情報システム１０４の記録ピニング器５３６Ｂに送信することができる。記録ピニング器５３６Ｂは、ピニング位置と、ピニング位置と医療記録１１１との間の関連性とをストレージ５１０Ｂに記憶することができる。記録ピニング器５３６Ｂは、ストレージ５１０Ｂにおけるピニング位置と、ピニング位置と医療記録１１１との間の関連性とに基づいて、医療記録１１１のピニング位置を記録ピニング器５３６Ａに提供することができる。内容項目表示器５３０は、記録ピニング器５３６Ｂが記録ピニング器５３６Ａに提供した医療記録１１１のピニング位置に基づいて、医療専門家の視野内の適切な位置に医療記録１１１を医療記録内容項目１１４として表示することができる。
【００７３】
患者の識別
ホログラフィックアイウェア１０６は、プロセッサ５０６Ａと通信する患者識別器５３８を含むことができる。患者識別器５３８は、患者のアイデンティティを特定することができる。例えば、患者識別器５３８は、画像センサ５１４Ｃによって取り込まれた患者の画像に基づいて、医療専門家１００がホログラフィックアイウェアの１又は２以上のレンズを通じて見ている患者のアイデンティティを特定することができる。いくつかの実施形態では、患者識別器５３８が、マイク５１４Ｃによって取り込まれた患者の音声に基づいて、医療専門家１００が見ている患者のアイデンティティを特定することができる。ホログラフィックアイウェア１０６は、患者識別器５３８によって特定された患者のアイデンティティに基づいて、適切なユーザメニュー１２０、適切な内容項目及び適切な３Ｄアバター１０２を医療専門家１００に表示することができる。
【００７４】
計器の識別
いくつかの実施形態では、ホログラフィックアイウェア１０６が、プロセッサ５０６Ａと通信する計器識別器５３９を含むことができる。計器識別器５３９は、計器のアイデンティティを特定することができる。計器のアイデンティティは、例えば計器のメーカー、モデル、製造年度、使用履歴及び稼働履歴を含むことができる。例えば、計器識別器５３９は、画像センサ５１４Ｃによって取り込まれた計器の画像に基づいて、医療専門家１００がホログラフィックアイウェアのレンズを通じて見ている計器のアイデンティティを特定することができる。いくつかの実施形態では、計器識別器５３９が、計器によって放出されマイク５１４Ｃによって取り込まれた音波に基づいて、医療専門家１００が見ている計器のアイデンティティを特定することができる。ホログラフィックアイウェア１０６は、計器識別器５３９によって特定された計器のアイデンティティに基づいて、例えば医療専門家１００が検討する計器の使用説明書メニューを表示することができる。
【００７５】
指示の判別
ホログラフィックアイウェア１０６は、プロセッサ５０６Ａと通信する指示判別器５４０を含むことができる。指示判別器５４０は（ホログラフィックアイウェア１０６の１又は２以上のセンサと連携して）、医療専門家１００がホログラフィックアイウェア１０６に与える指示を判別することができる。従って、医療専門家１００は、指示判別器５４０及び１又は２以上のセンサ５１４を通じてホログラフィックアイウェア１０６及び３Ｄアバター医療情報システム１０４と相互作用することができる。
【００７６】
いくつかの実施形態では、ホログラフィックアイウェア１０６上に１又は２以上の画像センサ５１４Ｃが配置されて、医療専門家１００が見ているものを取り込むように配向される。ホログラフィックアイウェア１０６は、画像センサ５１４Ｃを用いて、医療専門家の指、手、腕、脚、及び医療専門家とつながっている１又は２以上の物体の動きを取り込んで「見る」ことができる。指示判別器５４０は、画像センサ５１４Ｃによって取り込まれた画像に基づいて、これらの動きが医療専門家１００によって与えられた視覚による指示であると判断することができる。ホログラフィックアイウェア１０６は、視覚による指示に基づいて、医療専門家１００に対してレンズ上に示す表示を更新することができる。図１に関して説明したように、指示判別器５４０は（画像センサ５１４Ｃと連携して）、医療専門家１００が内容項目のグラフィック表現に「タッチ」したと判断することができる。指示判別器５４０は、内容項目のアイデンティティに基づいて、医療専門家１００によって与えられた、例えば疾病タイムラインを見ることなどの特定の指示を判別することができる。図２に関して説明したように、指示判別器５４０は、医療専門家１００が２本の指を互いに遠ざけた２０４と判断することができる。指示判別器５４０は、この特定の動きに基づいて、医療専門家１００によって与えられた、例えば更新後の医療記録内容項目１１４Ｂ’上でズームインを行うことなどの特定の指示を判別することができる。
【００７７】
図５を参照すると、いくつかの実施形態では、ホログラフィックアイウェア１０６が、１又は２以上の動きセンサ５１４Ａを用いて医療専門家のうなずきを検出することができる。指示判別器５４０は、動きセンサ５１４Ａによって生成された電気信号に基づいて、これらの動きが医療専門家１００によって与えられた動きによる指示であると判断することができる。ホログラフィックアイウェア１０６は、この動きによる指示に基づいて、医療専門家１００に示す表示を更新することができる。
【００７８】
いくつかの実施形態では、ホログラフィックアイウェア１０６が、１又は２以上のマイク５１４Ｃを用いて医療専門家１００が発した言葉を特定することができる。指示判別器５４０は、１又は２以上のマイク５１４Ｃによって生成された信号に基づいて、これらの言葉が医療専門家１００によって与えられた１又は２以上の言葉による指示であると判断することができる。ホログラフィックアイウェア１０６は、この言葉による指示に基づいて、医療専門家１００にて示す表示を更新することができる。
【００７９】
指示判別器５４０内の命令は、医療専門家１００によって与えられた指示を判別するようにプロセッサ５０６Ａを構成することができる。いくつかの実施形態では、指示判別器５４０が、１又は２以上のセンサから受け取ったデータを解釈して１又は２以上のフィルタを適用するようにプロセッサ５０６Ａを構成する命令を含むことができる。例えば、指示判別器５４０は、マイク５１４Ｃによって取り込まれた音波波形を解釈して、例えばマイク５１４Ｃによって取り込まれた医療専門家の環境からのノイズを除去するために１又は２以上のフィルタを適用するようにプロセッサ５０６Ａを構成する命令を含むことができる。
【００８０】
指示判別器５４０内の命令は、１又は２以上のセンサによって受け取られたデータから指示パラメータを抽出するようにプロセッサ５０６Ａを構成することもできる。指示パラメータの非限定的な例としては、指示のタイプ及び指示の数値が挙げられる。図２に関して説明したように、指示判別器５４０は、医療専門家１００が２本の指を互いに遠ざけた２０４と判断することができる。このような動きの指示タイプは、例えばズームイン又はズームアウトとすることができる。指示パラメータは、例えば２本の指を互いに遠ざける大きさに基づくズームインの程度とすることができる。従って、指示判別器５４０内の命令は、センサからの信号が未処理であるか、それとも処理済みであるかに関わらず、これらの信号を解釈し、フィルタ処理して解析するようにプロセッサ５０５Ａを構成することができる。
【００８１】
タスクワークフロー表示器
ホログラフィックアイウェア１０６は、プロセッサ５０６Ａと通信するタスクワークフロー表示器５４４Ａを含むことができる。３Ｄアバター医療情報システム１０４は、プロセッサ５０６Ｂと通信するタスクワークフロー表示器５４４Ｂを含むことができる。タスクワークフロー表示器５４４Ａは、タスクワークフロー表示器５４４Ｂと共に、所与のタスクについて医療専門家１００が従うべき適切な命令を決定することができる。タスクワークフロー表示器５４４Ａは、様々なタスクについて医療専門家１００が従うべき命令をストレージ５１０Ａに記憶することができる。いくつかの実施形態では、タスクワークフロー表示器５４４Ｂが、様々なタスクについて医療専門家１００が従うべき命令をストレージ５１０Ｂに記憶することができる。タスクワークフロー表示器５４４Ｂは、ストレージ５１０Ｂに記憶された、様々なタスクについて医療専門家１００が従うべき命令をタスクワークフロー表示器５４４Ａに与えることができる。
【００８２】
例えば、タスクワークフロー表示器５４４Ａは、採血目的で患者の腕の静脈を特定するために、医療専門家１００に対してホログラフィックアイウェアのレンズ上に、採血目的で患者の腕の静脈を正しく特定するために医療専門家１００が従うべき命令を表示することができる。例えば、タスクワークフロー表示器５４４Ａは、患者にカテーテルを挿入するために、医療専門家１００に対してホログラフィックアイウェアのレンズ上に、患者にカテーテルを正しく挿入するために医療専門家１００が従うべき命令を表示することができる。いくつかの実施形態では、タスクワークフロー表示器５４４Ａが、病院、市、州又は連邦政府によって義務付けられた手順の遵守を促すための命令を医療専門家１００に対して表示することができる。
【００８３】
アイウェア、３Ｄアバター医療情報システム及び電子医療記録システム間の通信
ホログラフィックアイウェア１０６は、プロセッサ５０６Ａ及び通信インターフェイス５１２Ａと通信する３Ｄアバター医療情報コミュニケータ５４２Ａを含むことができる。３Ｄアバター医療情報システム１０４は、プロセッサ５０６Ｂ及び通信インターフェイス５１２Ｂと通信するアイウェアコミュニケータ５５０を含むことができる。３Ｄアバター医療情報コミュニケータ５４２Ａ及びアイウェアコミュニケータ５５０は、通信インターフェイス５１２Ａ〜５１２Ｂと共に、ホログラフィックアイウェア１０６と３Ｄアバター医療情報システム１０４との間の通信を容易にする。いくつかの実施形態では、３Ｄアバター医療情報コミュニケータ５４２Ａ及びアイウェアコミュニケータ５５０が、通信インターフェイス５１２Ａ〜５１２Ｂと共に、医療専門家識別器５２４Ａ〜５２４Ｂ、記録検索器５２８Ａ〜５２８Ｂ、記録作成器５３２Ａ〜５３２Ｂ、記録更新器５３４Ａ〜５３４Ｂ，記録ピニング器５３６Ａ〜５３６Ｂ及びタスクワークフロー表示器５４４Ａ〜５４４Ｂ間の通信を容易にする。
【００８４】
３Ｄアバター医療情報システム１０４は、プロセッサ５０６Ｂ及び通信インターフェイス５１２Ｂと通信する電子医療記録システムコミュニケータ５５２を含むことができる。電子医療記録システム１１０は、プロセッサ５０６Ｃ及び通信インターフェイス５１２Ｃと通信する３Ｄアバター医療情報コミュニケータ５４２Ｃを含むことができる。電子医療記録システムコミュニケータ５５０及び３Ｄアバター医療情報コミュニケータ５４２Ａは、通信インターフェイス５１２Ｂ〜５１２Ｃと共に、３Ｄアバター医療情報システム１０４と電子医療記録システム１１０との間の通信を容易にする。いくつかの実施形態では、電子医療記録システムコミュニケータ５５０及びアイウェアコミュニケータ５５０が、通信インターフェイス５１２Ａ〜５１２Ｂと共に、記録検索器５２８Ｂ〜５２８Ｃ、記録作成器５３２Ｂ〜５３２Ｃ及び記録更新器５３４Ｂ〜５３４Ｃ間の通信を容易にする。
【００８５】
当業者であれば理解するように、本発明の実施形態による３Ｄアバター医療情報システム及びホログラフィックアイウェアの実施例、改善及び配置を行う方法は数多く存在する。図面及び上記の説明に示す例示的な実施形態を参照したが、本明細書に開示した実施形態は、開示する様々な別の設計及び実施形態を完全に示すことを意図するものではない。当業者であれば、本発明から逸脱することなく様々な修正及び様々な組み合わせを行うことができると容易に理解するであろう。
【００８６】
上記の説明では、実施例を完全に理解できるように特定の詳細を示した。しかしながら、当業者であれば、これらの特定の詳細を伴わずに実施例を実施することもできると理解するであろう。例えば、これらの実施例を不必要な詳細で曖昧にしないように、電気的な構成要素／装置についてはブロック図で示していることもある。その他の場合には、実施例をさらに説明するためにこのような構成要素、他の構造及び手法を詳細に示していることもある。
【００８７】
また、実施例は、フローチャート、フロー図、有限状態図、構造図又はブロック図として示すプロセスとして説明することもできる。フローチャートには、動作を逐次プロセスとして説明していることもあるが、動作の多くは、並行して又は同時に実行することもでき、プロセスを繰り返すこともできる。また、動作の順序は並べ替えることもできる。プロセスは、その動作の完了時に終了する。プロセスは、方法、関数、手順、サブルーチン又はサブプログラムなどに対応することができる。プロセスがソフトウェア関数に対応する場合、そのプロセスの終了は、関数が呼び出し関数又はメイン関数に戻ることに対応する。
【００８８】
当業者であれば、情報及び信号は、様々な異なる技術及び手法のうちのいずれかを用いて表すことができると理解するであろう。例えば、本開示全体を通じて参照できるデータ、命令、コマンド、情報、信号、ビット、記号及びチップは、電圧、電流、電磁波、磁場又は磁性粒子、光場又は光粒子、或いはこれらのあらゆる組み合わせによって表すことができる。
【００８９】
上記の詳細な説明は、本発明のいくつかの具体的な実施形態に関するものである。しかしながら、本発明は、多くの異なる方法で具体化することができる。本明細書の態様は様々な形で具体化することができ、本明細書に開示したあらゆる特定の構造、機能、又はこれらの両方は代表的なものにすぎないと理解されたい。当業者であれば、本明細書の教示に基づいて、本明細書に開示した態様は、本発明の新規の教示及び利点から大きく逸脱することなく他のあらゆる態様と無関係に実装することができ、これらの態様のうちの２つ又は３つ以上を様々な形で組み合わせることもできると理解すべきである。従って、本発明の範囲にはこのような全ての修正が含まれるように意図される。例えば、本明細書に示したあらゆる数の態様を用いて装置を実装し、又は方法を実施することができる。また、本明細書に示した態様のうちの１つ又は２つ以上に加えて又はこれらとは別に、他の構造、機能又はその両方を用いてこのような装置を実装し、又はこのような方法を実施することもできる。
【００９０】
上述した実施形態の少なくとも一部では、技術的に実行可能である限り、１つの実施形態において使用される１又は２以上の要素を別の実施形態において互換的に使用することもできる。当業者であれば、特許請求する主題の範囲から逸脱することなく、上述した方法及び構造に他の様々な省略、追加及び修正を加えることもできると理解するであろう。このような修正及び変更は、全て添付の特許請求の範囲に定められる主題の範囲に含まれるように意図される。
【００９１】
さらに、本明細書で説明したシステム及び方法は、コンピュータ装置と通信する３Ｄアバター医療情報システム及びホログラフィックアイウェアによって実装することができる。これらのコンピュータ装置は、モバイル装置又は非モバイル装置、並びに汎用又は専用コンピュータシステム環境又は構成を含む。本発明との使用に適することができるコンピュータシステム、環境及び／又は構成の例としては、以下に限定されるわけではないが、パーソナルコンピュータ、サーバコンピュータ、ハンドヘルド又はラップトップ装置、マルチプロセッサシステム、マイクロプロセッサベースシステム、プログラム可能な消費者向け電子装置、ネットワークＰＣ、ミニコンピュータ、メインフレームコンピュータ、上記のシステム又は装置のいずれかを含む分散コンピュータ環境、及び同様のものが挙げられる。さらに、これらのシステム及び方法は、モバイル装置に実装することもできる。モバイル装置の非限定的な例としては、電話機、スマートフォン、携帯情報端末（ＰＤＡ）、ウルトラモバイルパーソナルコンピュータ（ＵＭＰＣ）及びモバイルインターネット装置（ＭＩＤ）が挙げられる。
【００９２】
本明細書で使用する「決定する（ｄｅｔｅｒｍｉｎｉｎｇ）」という用語は、様々な動作を含む。例えば、「ｄｅｔｅｒｍｉｎｉｎｇ」は、計算すること（ｃａｌｃｕｌａｔｉｎｇ、ｃｏｍｐｕｔｉｎｇ）、処理すること（ｐｒｏｃｅｓｓｉｎｇ）、導出すること（ｄｅｒｉｖｉｎｇ）、調査すること（ｉｎｖｅｓｔｉｇａｔｉｎｇ）、参照すること（ｌｏｏｋｉｎｇ  ｕｐ）（例えば、テーブル、データベース又は別のデータ構造を参照すること）及び確認すること（ａｓｃｅｒｔａｉｎｉｎｇ）などを含むことができる。また、「ｄｅｔｅｒｍｉｎｉｎｇ」は、受け取ること（ｒｅｃｅｉｖｉｎｄ）（例えば、情報を受け取ること）及びアクセスすること（ａｃｃｅｓｓｉｎｇ）（例えば、メモリ内のデータにアクセスすること）などを含むこともできる。さらに「ｄｅｔｅｒｍｉｎｉｎｇ」は、解決すること（ｒｅｓｏｌｖｉｎｇ）、選択すること（ｓｅｌｅｃｔｉｎｇ、ｃｈｏｏｓｉｎｇ）及び確立すること（ｅｓｔａｂｌｉｓｈｉｎｇ）などを含むこともできる。
【００９３】
当業者であれば、本明細書における実質的に全ての複数形及び／又は単数形の用語の使用について、文脈及び／又は用途に適するように複数形から単数形への、及び／又は単数形から複数形への変換を行うことができる。本明細書では、明確にするために様々な単数形／複数形の置換を明確に示すことができる。
【００９４】
本明細書における「第１の（ｆｉｒｓｔ）」及び「第２の（ｓｅｃｏｎｄ）」などの指示を用いた要素へのあらゆる言及は、一般にこれらの要素の量又は順序を限定するものではないと理解されたい。むしろ、本明細書では、これらの指示を、２又は３以上の要素又は要素例同士を区別するための便利な方法として使用することができる。従って、第１及び第２の要素についての言及は、そこで２つの要素しか使用できないこと、又は第１の要素が何らかの形で第２の要素に先行しなければならないことを意味するものではない。また、別途述べていない限り、要素の組は、１又は２以上の要素を含むことができる。また、本明細書又は特許請求において使用する「Ａ、Ｂ又はＣのうちの少なくとも１つ（ａｔ  ｌｅａｓｔ  ｏｎｅ  ｏｆ：Ａ、Ｂ、ｏｒ  Ｃ）」という形の用語は、「Ａ、Ｂ、Ｃ、又はこれらの要素のいずれかの組み合わせ」を意味する。
【００９５】
本明細書で使用する、項目リスト「のうちの少なくとも１つ（ａｔ  ｌｅａｓｔ  ｏｎｅ  ｏｆ）」という表現は、単一の要素を含むこれらの項目のあらゆる組み合わせを意味する。一例として、「ａ、ｂ又はｃのうちの少なくとも１つ」は、ａ、ｂ、ｃ、ａとｂ、ａとｃ、ｂとｃ、及びａとｂとｃをカバーするように意図される。
【００９６】
一般に、当業者であれば、本明細書で使用する用語、特に添付の特許請求の範囲（例えば、添付の特許請求の範囲の本文）で使用する用語は、一般に「オープン（ｏｐｅｎ）な」用語として意図されている（例えば、「含む（ｉｎｃｌｕｄｉｎｇ）」という用語は、「含むけれどもそれに限定されない」と解釈すべきであり、「有する（ｈａｖｉｎｇ）」という用語は、「少なくとも有する」と解釈すべきであり、「含む（ｉｎｃｌｕｄｅｓ）」という用語も、「含むけれどもそれに限定されない」と解釈すべきであり、その他も同様である）と理解するであろう。当業者であれば、導入する請求項の記載において特定の数が意図されている場合、このような意図はその請求項に明確に記載され、このような記載がない場合には、そのような意図も存在しないとさらに理解するであろう。例えば、理解を容易にするために、以下に添付する特許請求の範囲では、「少なくとも１つの（ａｔ  ｌｅａｓｔ  ｏｎｅ）」及び「１又は２以上の（ｏｎｅ  ｏｒ  ｍｏｒｅ）」という導入句を用いて請求項の記載を導入していることがある。しかしながら、このような句を使用しているからといって、「ａ」又は「ａｎ」という不定冠詞による請求項の記載を導入した場合に、たとえ「１又は２以上の」又は「少なくとも１つの」という導入句と、「ａ」又は「ａｎ」という不定冠詞とが同じ請求項内に含まれているとしても、このような導入される請求項の記載を含むいずれかの特定の請求項がこのような記載を１つしか含まない実施形態に限定されることを意味すると解釈すべきではなく（例えば、「ａ」及び／又は「ａｎ」は、「少なくとも１つの」又は「１又は２以上の」を意味すると解釈すべきである）、定冠詞を用いて請求項の記載を導入する場合にも同じことが当てはまる。また、導入する請求項の記載に特定の数が明示されている場合でも、当業者であれば、このような記載は、少なくとも記載されている数を意味するものとして解釈すべきであると認識するであろう（例えば、他に修飾語を使用せずに「２つの記載」とだけ記載されている場合、少なくとも２つの記載、或いは２又は３以上の記載を意味する）。さらに、「Ａ、Ｂ及びＣなどのうちの少なくとも１つ」に類する規定を使用している場合、一般にこのような構造は、当業者がこの規定を理解するであろう意味で意図されたものである（例えば、「Ａ、Ｂ及びＣのうちの少なくとも１つを有するシステム」は、Ａのみ、Ｂのみ、Ｃのみ、ＡとＢの両方、ＡとＣの両方、ＢとＣの両方、及び／又はＡとＢとＣ全てなどを有するシステムを含むが、これらに限定されるわけではない）。「Ａ、Ｂ又はＣなどのうちの少なくとも１つ」に類する規定を使用している場合、一般にこのような構造は、当業者がこの規定を理解するであろう意味で意図されたものである（例えば、「Ａ、Ｂ又はＣのうちの少なくとも１つを有するシステム」は、Ａのみ、Ｂのみ、Ｃのみ、ＡとＢの両方、ＡとＣの両方、ＢとＣの両方、及び／又はＡとＢとＣ全てなどを有するシステムを含むが、これらに限定されるわけではない）。さらに、当業者であれば、２又は３以上の選択的な用語を示す事実上全ての離接語及び／又は離接句は、説明内に存在するか、請求項内に存在するか、それとも���面内に存在するかに関わらず、これらの用語のうちの１つ、これらの用語のうちのいずれか、又は両方の用語を含む可能性を意図するものとして理解すべきであると理解するであろう。例えば、「Ａ又はＢ」という句は、「Ａ」又は「Ｂ」又は「ＡとＢ」の可能性を含むと理解されるであろう。
【００９７】
また、本開示の特徴又は態様をマーカッシュ群に関して記載している場合、当業者であれば、これによって本開示がマーカッシュ群の要素のうちのいずれかの個々の要素又は下位集団に関しても記載されていると認識するであろう。
【００９８】
当業者であれば理解するように、本明細書に開示した全ての範囲は、明細書を提供することなどのありとあらゆる目的において、全ての考えられる部分範囲、及びその部分範囲の組み合わせも含む。列挙する範囲は、同じ範囲を少なくとも２等分、３等分、４等分、５等分、１０等分などに分解することを十分に記述しており、これを可能にすることができると容易に認識することができる。非限定的な例として、本明細書で説明した各範囲は、下部３分の１、中間３分の１及び上部３分の１などに容易に分解することができる。やはり当業者であれば理解するように、「最大で（ｕｐ  ｔｏ）」、「少なくとも（ａｔ  ｌｅａｓｔ）」、「〜よりも大きい（ｇｒｅａｔｅｒ  ｔｈａｎ）」及び「〜よりも小さい（ｌｅｓｓ  ｔｈａｎ）」などの全ての表現は、列挙する数字を含むとともに、その後に上述したような部分範囲に分解できる範囲を意味する。最後に、当業者であれば理解するように、範囲は、各個々の要素を含む。従って、例えば、１〜３個の項目を有する群は、１個、２個又は３個の項目を有する群を意味する。同様に、１〜５個の項目を有する群は、１個、２個、３個、４個又は５個の項目を有する群を意味し、他も同様である。
【００９９】
本明細書に開示した実装に関連して説明した方法又はプロセスのステップは、直接ハードウェアの形で、プロセッサによって実行されるソフトウェアモジュールの形で、或いはこれらの組み合わせの形で具体化することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当業で周知の他のいずれかの形態の非一時的記憶媒体内に存在することができる。例示的なコンピュータ可読記憶媒体は、プロセッサに結合されて、プロセッサがこのコンピュータ可読記憶媒体との間で情報を読み書きできるようにされる。代替例では、記憶媒体をプロセッサに一体化することもできる。プロセッサ及び記憶媒体は、ＡＳＩＣ内に存在することもできる。ＡＳＩＣは、ユーザ端末、カメラ又はその他の装置内に存在することができる。代替例では、プロセッサ及び記憶媒体が、ユーザ端末、カメラ又はその他の装置内に離散的要素として存在することができる。
【０１００】
ソフトウェアで実装する場合、これらの機能をコンピュータ可読媒体上の１又は２以上の命令又はコードとして記憶し、又は送信することができる。本明細書に開示した方法又はアルゴリズムのステップは、コンピュータ可読媒体上に存在できるプロセッサ実行可能ソフトウェアモジュールに実装することができる。コンピュータ可読媒体は、コンピュータプログラムを１つの場所から別の場所に転送できるあらゆる媒体を含むコンピュータ記憶媒体及び通信媒体の両方を含むことができる。記憶媒体は、コンピュータがアクセスできるあらゆる利用可能な媒体とすることができる。限定ではなく一例として、このようなコンピュータ可読媒体は、ＲＡＭ、ＲＯＭ、ＥＥＰＲＯＭ、ＣＤ−ＲＯＭ又はその他の光ディスクストレージ、磁気ディスクストレージ又はその他の磁気記憶装置、或いは、命令又はデータ構造の形のプログラムコードを記憶するために使用できるとともに、コンピュータがアクセスできる他のいずれかの媒体を含むことができる。また、正確にはあらゆる接続をコンピュータ可読媒体と呼ぶこともできる。本明細書で使用するディスク（ｄｉｓｋ又はｄｉｓｃ）は、コンパクトディスク（ＣＤ）、レーザディスク、光ディスク、デジタル多用途ディスク（ＤＶＤ）、フロッピーディスク及びブルーレイディスクを含み、この場合、ｄｉｓｋは、通常データを磁気的に再生し、ｄｉｓｃは、レーザを用いてデータを光学的に再生する。これらの組み合わせもコンピュータ可読媒体の範囲に含めるべきである。また、方法又はアルゴリズムの動作は、コンピュータプログラム製品に組み込むことができる機械可読媒体及びコンピュータ可読媒体上に、コード及び命令の１つの又はあらゆる組み合わせ又は集合として存在することができる。
【０１０１】
当業者には、本開示において説明した実装に対する様々な修正が容易に明らかになると思われ、本明細書に定める一般原理は、本開示の趣旨又は範囲から逸脱することなく他の実装に適用することもできる。従って、特許請求の範囲は、本明細書に示した実装に限定されるものではなく、本開示と一致する最も広い範囲、本明細書に開示した原理及び新規の特徴が認められるべきものである。本明細書で使用する「例示的な（ｅｘｅｍｐｌａｒｙ）」という単語は、専ら「実施例、事例又は例証としての役割を果たす」ことを意味するものである。本明細書において「例示的」なものとして説明したあらゆる実装は、必ずしも他の実装よりも好ましいもの又は有利なものとして解釈すべきではない。また、当業者であれば、図の説明を容易にするために「上側（ｕｐｐｅｒ）」及び「下側（ｌｏｗｅｒ）」という用語を使用していることがあるが、これらの用語は、正しく配向されたページ上の図の配向に対応する相対的な位置を示すものであり、本開示の実施形態の実装通りの正しい配向を反映していないこともあると容易に理解するであろう。
【０１０２】
本明細書では様々な態様及び実施形態を開示したが、当業者には他の態様及び実施形態が明らかであろう。本明細書に開示した様々な態様及び実施形態は、限定を意図するものではなく例示を目的とするものであり、真の範囲及び趣旨は以下の特許請求の範囲に示される。
【０１０３】
本明細書において別個の実装の文脈で説明したいくつかの特徴は、単一の実装において組み合わせて実装することもできる。これとは逆に、単一の実装の文脈で説明した様々な特徴は、複数の実装において別個に、又はいずれかの好適な部分的組み合わせの形で実装することもできる。さらに、上記ではいくつかの組み合わせで機能するように特徴を説明し、最初はこのように特許請求していることもあるが、場合によっては、特許請求する組み合わせから生じる１又は２以上の特徴をこれらの組み合わせから削除することもでき、特許請求する組み合わせを下位の組み合わせ又は下位の組み合わせの変形例に向けることもできる。
【０１０４】
本明細書には、参照用に、及び様々な節の位置を特定するのに役立つように見出しを含めている。これらの見出しは、関連して説明した概念の範囲を限定するものではない。このような概念は、本明細書全体を通じて適用することができる。
【０１０５】
以上、開示した実装の説明は、あらゆる当業者が本発明を実践又は使用できるように行ったものである。当業者には、これらの実装の様々な修正が容易に明らかになるであろうし、本発明の趣旨又は範囲から逸脱することなく、本明細書で定義した一般原理を他の実装に適用することもできる。従って、本発明は、本明細書に示す実装に限定されるものではなく、本明細書で開示した原理及び新規の特徴と整合する最も広い範囲が認められるべきものである。
【符号の説明】
【０１０６】
１００  医療専門家
１０２  ３Ｄアバター
１０４  ３Ｄアバター医療情報システム
１０６  ホログラフィックアイウェア
１０８  ネットワーク
１１０  電子医療記録システム
１１１  医療記録
１１２Ａ  頭痛
１１２Ｂ  発疹
１１２Ｃ  火傷
１１４Ａ〜Ｃ  医療記録内容項目
１２０  ユーザメニュー
１２２Ａ  患者情報の表示
１２２Ｂ  検査の指示
１２２Ｃ  タイムラインの表示
１２２Ｄ  新たな医療記録の作成
１３０Ａ  現在の状態
１３０Ｂ  治療歴
１３０Ｃ  Ｔｏ  Ｄｏリスト
１３０Ｄ  その他
１４０Ｂ  Ｘ線
１４０Ｃ  血液検査
１４０Ｄ  その他
１５０Ａ  頭痛
１５０Ｂ  発疹
１５０Ｃ  火傷
１５０Ｄ  その他
１６０Ａ  テキスト
１６０Ｂ  オーディオ
１６０Ｃ  ビデオ
１６０Ｄ  その他
１７０、１７２、１７４  タッチ
【図１】
2019514105.tif 000003
【図２】
2019514105.tif 000004
【図３】
2019514105.tif 000005
【図４】
2019514105.tif 000006
【図５】
2019514105.tif 000007
【国際調査報告】
2019514105.tif 000008
2019514105.tif 000009
2019514105.tif 000010